(57)【要約】接続領域内のデバイス接続を識別するためのシステム、方法、およびコンピュータプログラム製品は、接続領域内の複数の送信源から複数のデバイスの複数の物理パラメータを受信し、複数の物理パラメータは、複数のデバイスの物理的状態を示す。少なくとも１つの物理的接続状態は、複数のデバイスの複数の物理パラメータに基づいて、複数のデバイス間で決定される。
2021518948.tif 000002
【特許請求の範囲】
【請求項１】
接続領域内のデバイス接続を識別するためのシステムであって、少なくとも１つのプロセッサを含む少なくとも１つのコンピュータを備え、少なくともコンピュータは、
接続領域内の複数の送信源から複数のデバイスの複数の物理パラメータを受信することであって、前記複数の物理パラメータは、複数のデバイスの同一性および／または物理的状態を示す、該受信することと、
前記複数のデバイスの前記複数の物理パラメータに基づいて、前記複数のデバイス間の少なくとも１つの同一性および／または物理的接続状態を決定することと、
を行うようにプログラムおよび／または構成されたことを特徴とするシステム。
【請求項２】
前記少なくとも１つのコンピュータは、前記複数のデバイス間の前記少なくとも１つの物理的接続状態に基づいて、前記複数のデバイスのうちの少なくとも１つのデバイスを含む流体流路内の流体の流れを制御するようにプログラムおよび／または構成されたことを特徴とする請求項１に記載のシステム。
【請求項３】
前記少なくとも１つのコンピュータは、
患者に関連付けられた患者識別子を受信することと、
前記流体流路を介して前記患者に送達されることになる医薬品の医薬品識別子を受信することと、
前記患者識別子および前記医薬品識別子を前記流体流路の前記少なくとも１つのデバイスに関連付けることと、
前記患者識別子および前記医薬品識別子に基づいて、前記流体流路内の流体の流れを制御することと、
を行うようにプログラムおよび／または構成されたことを特徴とする請求項２に記載のシステム。
【請求項４】
前記少なくとも１つのコンピュータは、
前記複数のデバイス間の前記少なくとも１つの物理的接続状態に基づいて、前記複数のデバイスのうちの少なくとも１つのデバイスを含む流体流路のデジタル表現を生成することと、
前記流体流路の前記表現に基づいて、前記流体流路内の流体の流れを監視することと、
を行うようにプログラムおよび／または構成されたことを特徴とする請求項１に記載のシステム。
【請求項５】
前記少なくとも１つのコンピュータは、
前記接続領域内で可聴および／または可視のインジケーションを出力する、またはそれを出力させるようにプログラムおよび／または構成され、前記可聴および／または前記可視のインジケーションは、前記流体流路の状況を示すことを特徴とする請求項４に記載のシステム。
【請求項６】
前記複数の物理パラメータは、複数のイベント時間に関連付けられ、前記複数のイベント時間は、前記複数のデバイスの前記物理的状態の変化の時間を示し、前記少なくとも１つのコンピュータは、前記複数のイベント時間に基づいて、前記少なくとも１つの接続状態を決定するようにプログラムおよび／または構成されたことを特徴とする請求項１に記載のシステム。
【請求項７】
前記少なくとも１つのコンピュータは、前記複数のイベント時間がスライディングタイムウィンドウ内にあるかどうか決定するようにプログラムおよび／または構成されたことを特徴とする請求項６に記載のシステム。
【請求項８】
前記少なくとも１つのコンピュータは、
前記複数のデバイスのうちの前記少なくとも１つのデバイスが前記接続領域内にあると決定することであって、前記少なくとも１つのデバイスは、前記複数の物理パラメータのうちの少なくとも１つの物理パラメータに関連付けられることと、
前記少なくとも１つのデバイスに関連付けられたデバイス識別子を受信することと、
前記デバイス識別子を、前記少なくとも１つのデバイスの前記少なくとも１つの物理パラメータに関連付けることと、
前記接続領域内のデバイスのリストを含むデバイスレジスタを、前記少なくとも１つの物理パラメータに関連付けて前記デバイス識別子で更新することを行うようにプログラムおよび／または構成されたことを特徴とする請求項１に記載のシステム。
【請求項９】
前記少なくとも１つのコンピュータは、
前記少なくとも１つのデバイスが前記接続領域の外側にあると決定することと、
前記デバイスレジスタからデバイス識別子を除去することと、
を行うようにプログラムおよび／または構成されたことを特徴とする請求項８に記載のシステム。
【請求項１０】
前記少なくとも１つのコンピュータは、前記複数のデバイスの少なくとも１つの事前定義された互換性に基づいて、前記複数のデバイス間の前記少なくとも１つの接続状態を決定するようにプログラムおよび／または構成されたことを特徴とする請求項１に記載のシステム。
【請求項１１】
前記複数の物理パラメータは、前記複数のデバイスの複数の異なる物理的状態を示すことを特徴とする請求項１に記載のシステム。
【請求項１２】
前記複数の物理パラメータのうちの少なくとも１つの物理パラメータは、前記複数のデバイスのうちの少なくとも１つのデバイスの物理的状態の状態有限集合を示すことを特徴とする請求項１に記載のシステム。
【請求項１３】
前記複数の物理パラメータのうちの少なくとも１つの物理パラメータは、前記複数のデバイスのうちの少なくとも１つのデバイスの物理的状態の変化の大きさを示すことを特徴とする請求項１に記載のシステム。
【請求項１４】
前記複数の物理パラメータのうちの少なくとも１つの物理パラメータは、前記複数のデバイスのうちの少なくとも１つのデバイスの複数のコネクタの物理的状態を示す複数の接続パラメータを含み、前記少なくとも１つの物理的接続状態は、前記少なくとも１つのデバイスの少なくとも１つのコネクタの少なくとも１つの接続パラメータに基づいて決定されることを特徴とする請求項１に記載のシステム。
【請求項１５】
前記複数のデバイスと、
前記複数のデバイス上の複数のセンサであって、前記複数の物理パラメータを決定するために前記複数のデバイスの物理的状態を感知するように構成された、該複数のセンサと、
前記複数のデバイス上の前記複数の送信源であって、前記複数の物理パラメータを送信するように構成された、該複数の送信源と、
前記接続領域内の前記複数の送信源を検出し、前記複数の送信源から前記複数の物理パラメータを受信し、少なくとも１つのプロセッサを含む前記少なくとも１つのコンピュータに前記複数の物理パラメータを提供するように構成された少なくとも１つの受信機と、をさらに備えたことを特徴とする請求項１に記載のシステム。
【請求項１６】
前記少なくとも１つの受信機は、少なくとも１つのプロセッサを含む前記少なくとも１つのコンピュータを備えたことを特徴とする請求項１５に記載のシステム。
【請求項１７】
前記少なくとも１つのプロセッサを含む前記少なくとも１つのコンピュータは、少なくとも１つの受信機から遠隔であることを特徴とする請求項１５に記載のシステム。
【請求項１８】
前記少なくとも１つの受信機は、前記接続領域内の複数の受信機を含み、前記複数の受信機は、少なくとも１つの遠隔コンピュータと通信するように構成されたことを特徴とする請求項１７に記載のシステム。
【請求項１９】
前記少なくとも１つの遠隔コンピュータは、
第１の接続領域の外側の第２の接続領域内の第２の複数の送信源から第２の複数のデバイスの第２の複数の物理パラメータを受信することであって、前記第２の複数の物理パラメータは、前記第２の複数のデバイスの物理的状態を示す、該受信することと、
前記第２の複数のデバイスの前記第２の複数の物理パラメータに基づいて、前記第２の複数のデバイス間の少なくとも１つの第２の物理的接続状態を決定することと、
を行うようにプログラムおよび／または構成されたことを特徴とする請求項１７に記載のシステム。
【請求項２０】
接続領域内のデバイス接続を識別するためのシステムであって、
少なくとも１つの第１のデバイスと、
少なくとも１つの第２のデバイスであって、前記少なくとも１つの第１のデバイスは、前記少なくとも１つの第２のデバイスに物理的に接続されるように構成された、該第２のデバイスと、
前記少なくとも１つの第１のデバイス上の少なくとも１つの第１のセンサであって、前記少なくとも１つの第１のデバイスの少なくとも１つの第１の物理パラメータを決定するために、前記少なくとも１つの第１のデバイスの少なくとも１つの物理的状態を感知するように構成された、該少なくとも１つの第１のセンサと、
前記少なくとも１つの第１のデバイス上の少なくとも１つの第１の送信源であって、前記少なくとも１つの第１のデバイスの少なくとも１つの第１の物理パラメータを送信するように構成された、該少なくとも１つの第１の送信源と、
前記少なくとも１つの第２のデバイス上の少なくとも１つの第２のセンサであって、前記少なくとも１つの第２のデバイスの少なくとも１つの第２の物理パラメータを決定するために、前記少なくとも１つの第２のデバイスの少なくとも１つの物理的状態を感知するように構成された、該少なくとも１つの第２のセンサと、
前記少なくとも１つの第２のデバイス上の少なくとも１つの第２の送信源であって、前記少なくとも１つの第２のデバイスの少なくとも１つの第２の物理パラメータを送信するように構成された、該少なくとも１つの第２の送信源と、
接続領域内の少なくとも１つの第１の送信源を検出し、前記接続領域内の前記少なくとも１つの第２の送信源を検出し、前記少なくとも１つの第１の送信源から少なくとも１つの第１の物理パラメータを受信し、前記少なくとも１つの第２の送信源から少なくとも１つの第２の物理パラメータを受信するように構成された少なくとも１つの受信機と、
を備えたことを特徴とするシステム。
【請求項２１】
前記少なくとも１つの第１のデバイスは、患者、前記少なくとも１つの第２のデバイス、少なくとも１つの第３のデバイス、前記少なくとも１つの第２のデバイスの１つまたは複数のコネクタ、前記少なくとも１つの第３のデバイスの１つまたは複数のコネクタ、またはそれらの任意の組合せのうちの少なくとも１つに物理的に接続されるように構成された複数のコネクタを備え、前記少なくとも１つの第１の物理パラメータは、前記少なくとも１つの第１のデバイスの複数のコネクタの物理的状態を示す複数の接続パラメータを含むことを特徴とする請求項２０に記載のシステム。
【請求項２２】
前記少なくとも１つの第１の物理パラメータは、前記少なくとも１つの第１のデバイスの複数のコネクタのうちの２つ以上のコネクタ間の少なくとも１つの所定の接続状態を示す情報を含むことを特徴とする請求項２１に記載のシステム。
【請求項２３】
前記少なくとも１つのプロセッサを含む少なくとも１つのコンピュータをさらに備え、
前記少なくともコンピュータは、
前記少なくとも１つの第１のデバイス物理パラメータに関連付けられた少なくとも１つの第１のイベント時間を受信することと、
前記少なくとも１つの第２のデバイス物理パラメータに関連付けられた少なくとも１つの第２のイベント時間を受信することと、
前記少なくとも１つの第１のデバイス物理パラメータ、前記少なくとも１つの第２のデバイス物理パラメータ、前記少なくとも１つの第１のイベント時間、前記少なくとも１つの第２のイベント時間に基づいて、前記少なくとも１つの第１のデバイスと前記少なくとも１つの第２のデバイスとの間の少なくとも１つの接続状態を決定する
ことを行うようにプログラムおよび／または構成されたことを特徴とする請求項２０に記載のシステム。
【請求項２４】
前記少なくとも１つの第１のデバイスは、シリンジ、ＩＶスパイク、ＩＶアクセス部位、ＩＶバッグ、ＩＶセット、カテーテル、医療デバイスコネクタ、またはそれらの任意の組合せのうちの１つを含むことを特徴とする請求項２０に記載のシステム。
【請求項２５】
前記少なくとも１つの第１のセンサは、圧力センサを含む条項２０乃至２５のいずれか一項に記載のシステム。
【請求項２６】
前記少なくとも１つのタグと一体形成された少なくとも１つの第１のセンサおよび少なくとも１つの第１の送信源を含む少なくとも１つのタグをさらに備え、
前記少なくとも１つの第１のセンサおよび前記少なくとも１つの第１の送信源は、前記少なくとも１つのタグの外側の環境から封止されることを特徴とする請求項２０に記載のシステム。
【請求項２７】
前記少なくとも１つの第１のデバイスは、流体流路の少なくとも一部分を形成し、前記少なくとも１つのタグは、前記少なくとも１つの第１のデバイスの流体出口または流体入口で前記少なくとも１つの第１のデバイスに取り付けられることを特徴とする請求項２６に記載のシステム。
【請求項２８】
前記少なくとも１つの受信機は、前記接続領域内で互いに離隔された複数の受信機を含むことを特徴とする請求項２０に記載のシステム。
【発明の詳細な説明】
【技術分野】
【０００１】
本開示は、一般に識別デバイスに関し、いくつかの非限定的な実施形態または態様では、接続中または接続済みのデバイスを識別する、および／またはデバイス間の接続を識別するためのシステム、方法、およびコンピュータプログラム製品に関する。
【背景技術】
【０００２】
関連出願の相互参照
本願は、２０１８年４月１９日に出願された「Ｓｙｓｔｅｍ，  Ｍｅｔｈｏｄ，  ａｎｄ  Ｃｏｍｐｕｔｅｒ  Ｐｒｏｇｒａｍ  Ｐｒｏｄｕｃｔ  ｆｏｒ  Ｉｄｅｎｔｉｆｙｉｎｇ  Ｄｅｖｉｃｅ  Ｃｏｎｎｅｃｔｉｏｎｓ」という名称の米国特許仮出願第６２／６５９８６３号明細書に対する優先権を主張し、その開示全体が参照によりその全体として本明細書に組み込まれる。
【０００３】
いくつかの応用例では、２つのデバイスがいつ互いに接続されたか決定することが重要である。これは、接続されることになるデバイス同士が互いに直接インタラクションすることができる場合、比較的簡単な問題である。たとえば、２つのデバイス間の電気的接続の場合、電流の流れの確立により、２つのデバイス間に接続が存在することを示すことができ、たとえば、対合するコネクタの一方がその片方で回路を完成させてよい。
【０００４】
病院は、従来、医薬品の誤りを低減するために、バーコード投薬管理（ＢＣＭＡ）システムを使用している。ＢＣＭＡシステムは、一体化されたプロセッサおよび無線接続を含む手持ち式バーコードリーダを含む。識別された患者が容器内の医薬の所期の受薬者であることを検証するために、ソフトウェアを備えるコンピュータサーバが他の病院ＩＴシステム（たとえば、電子医薬品投与記録）と一体化される。使用時には、医薬品を患者に投与する前に、看護師が患者のリストバンドバーコードを走査し、容器内の医薬品が患者にとって正確な医薬品であることを検証するために、容器上のバーコードを走査する。いくつかの実装では、看護師は、自分のバッジバーコードを走査してもよい。ＢＣＭＡシステムは、不便な手持ち式電子デバイスの使用を必要とし、手動の管理を必要とし、汚染のリスクである。
【０００５】
さらに、ＢＣＭＡシステムは、医薬品投与の５つの「正しさ」、すなわち、正しい患者、正しい薬物、正しい用量、正しい経路、および正しい時間を確認する助けとなり、医薬品投与の誤りを低減することができるが、患者識別バーコードをコンピュータカート、スキャナ、戸枠、または看護師のベルトリングに添着すること、いくつかの患者の事前走査された医薬品をカート上で搬送することなど、ＢＣＭＡシステムに対する多くのワークアラウンドが存在する。看護師または他の医療専門家は、様々な理由でＢＣＭＡ警告および／または手順を撤回および／または無視してよい。たとえば、これらのワークアラウンドのいくつかの原因は、読み取れない医薬品バーコード（たとえば、しわの寄った、汚れた、破れた、欠損した、および／または別のラベルに覆われたバーコード）、故障したスキャナ、読み取れないまたは欠損した患者識別リストバンド（たとえば、ぼろぼろの、濡れた、および／または欠損したリストバンド）、バーコード化されていない医薬品、バッテリ異常、不確かな無線コネクティビティ、緊急事態などを含む。ワークアラウンドの考えられる結果は、医薬品の不正確な投与、不正確な用量、不正確な医薬品投与時間、および不正確な医薬品処方などを含む。ＢＣＭＡシステムの設計、実装、およびワークフロー一体化における欠点は、これらのワークアラウンドを助長してよい。さらに、ＢＣＭＡシステムを実世界の臨床ワークフロー内に一体化することは、ＢＣＭＡシステムの安全性特徴の正確な使用を確保するために、インサイチュ使用に対する注意を必要とする。
【０００６】
特許文献１は、１つまたは複数のＲＦＩＤトランスポンダが２つ以上の構成要素に関連付けられている２つ以上の構成要素の接続を識別するためのシステムを開示している。しかし、特許文献１は、特定のプラグおよび特定のソケットの接続を対ごとに決定するために、デバイス間の電気的接続を使用することを必要とする。さらに、特許文献１は、接続イベントの検出を開示しておらず、デバイス間の接続が存在するという決定だけである。
【０００７】
特許文献２は、ＩＶポールに装着され、やはりＩＶポールに装着されたマルチチャンネル輸液ポンプの上方のパネルを含む医薬品安全システムを対象とする。しかし、このパネルは、パネルに装着された医薬品容器のそれぞれに置かれたＲＦＩＤタグを読み取るためにマルチチャンネル輸液ポンプの各チャンネル用のＲＦＩＤリーダを必要とし、チャンネルのそれぞれ、および医薬品容器上のＲＦＩＤ送信機ではない。
【０００８】
したがって、当技術分野では、環境から封止された独立した接続センサの使用を可能にし、介護者のための単純化されたワークフローを創出し、ワークアラウンドの必要および可能性を低減し、感染ベクターとしての手持ち式スキャナをなくし、投与の経路について増大された詳細を提供し、流体が患者に送達されることになってよいすべての進入点を監視し、ならびに／または無線検出のより高い信頼性および特定性を達成する接続識別システムおよび方法が求められている。
【先行技術文献】
【特許文献】
【０００９】
【特許文献１】米国特許第７，７８２，２０２号明細書
【特許文献２】米国特許第７，９７６，５０８号明細書
【発明の概要】
【課題を解決するための手段】
【００１０】
したがって、本開示の目的は、従来技術の欠点のいくつかまたはすべてを克服する、デバイス接続を識別するための方法、システム、およびコンピュータプログラム製品を提供することである。
【００１１】
非限定的な実施形態または態様によれば、接続領域内のデバイス接続を識別するためのシステムであって、少なくとも１つのプロセッサを含む少なくとも１つのコンピュータを備え、少なくともコンピュータは、接続領域内の複数の送信源から複数のデバイスの複数の物理パラメータを受信することであって、複数の物理パラメータは、複数のデバイスの物理的状態を示すこと、および複数のデバイスの複数の物理パラメータに基づいて、複数のデバイス間の少なくとも１つの物理的接続状態を決定することを行うようにプログラムおよび／または構成される、システムが提供される。
【００１２】
非限定的な実施形態または態様によれば、接続領域内のデバイス接続を識別するためのシステムであって、少なくとも１つの第１のデバイスと、少なくとも１つの第２のデバイスであって、少なくとも１つの第１のデバイスは、少なくとも１つの第２のデバイスに物理的に接続されるように構成される、第２のデバイスと、少なくとも１つの第１のデバイス上の少なくとも１つの第１のセンサであって、少なくとも１つの第１のデバイスの少なくとも１つの第１の物理パラメータを決定するために、少なくとも１つの第１のデバイスの少なくとも１つの物理的状態を感知するように構成された、少なくとも１つの第１のセンサと、少なくとも１つの第１のデバイス上の少なくとも１つの第１の送信源であって、少なくとも１つの第１のデバイスの少なくとも１つの第１の物理パラメータを送信するように構成された、少なくとも１つの第１の送信源と、少なくとも１つの第２のデバイス上の少なくとも１つの第２のセンサであって、少なくとも１つの第２のデバイスの少なくとも１つの第２の物理パラメータを決定するために、少なくとも１つの第２のデバイスの少なくとも１つの物理的状態を感知するように構成された、少なくとも１つの第２のセンサと、少なくとも１つの第２のデバイス上の少なくとも１つの第２の送信源であって、少なくとも１つの第２のデバイスの少なくとも１つの第２の物理パラメータを送信するように構成された、少なくとも１つの第２の送信源と、接続領域内の少なくとも１つの第１の送信源を検出し、接続領域内の少なくとも１つの第２の送信源を検出し、少なくとも１つの第１の送信源から少なくとも１つの第１の物理パラメータを受信し、少なくとも１つの第２の送信源から少なくとも１つの第２の物理パラメータを受信するように構成された少なくとも１つの受信機とを備えるシステムが提供される。
【００１３】
非限定的な実施形態または態様によれば、接続領域内のデバイス接続を識別するためのコンピュータ実装方法であって、少なくとも１つのプロセッサで接続領域内の複数の送信源から複数のデバイスの複数の物理パラメータを受信するステップであって、複数の物理パラメータは、複数のデバイスの物理的状態を示す、ステップと、少なくとも１つのプロセッサで、複数のデバイスの複数の物理パラメータに基づいて、複数のデバイス間の少なくとも１つの物理的接続状態を決定するステップとを含む方法が提供される。
【００１４】
非限定的な実施形態または態様によれば、接続領域内のデバイス接続を識別するための方法であって、少なくとも１つの第１のデバイス上の少なくとも１つの第１のセンサで、少なくとも１つの第１のデバイスの少なくとも１つの第１の物理パラメータを決定するために少なくとも１つの第１のデバイスの少なくとも１つの物理的状態を感知するステップと、少なくとも１つの第１のデバイス上の少なくとも１つの第１の送信源で、少なくとも１つの第１のデバイスの少なくとも１つの第１の物理パラメータを送信するステップと、少なくとも１つの第２のデバイス上の少なくとも１つの第２のセンサで、少なくとも１つの第２のデバイスの少なくとも１つの第２の物理パラメータを決定するために少なくとも１つの第２のデバイスの少なくとも１つの物理的状態を感知するステップと、少なくとも１つの第２のデバイス上の少なくとも１つの第２の送信源で、少なくとも１つの第２のデバイスの少なくとも１つの第２の物理パラメータを送信するステップと、少なくとも１つの信号受信機で、接続領域内の少なくとも１つの第１の送信源を検出するステップと、接続領域内の少なくとも１つの第２の送信源を検出するステップと、少なくとも１つの第１の送信源から少なくとも１つの第１の物理パラメータを受信するステップと、少なくとも１つの第２の送信源から少なくとも１つの第２の物理パラメータを受信するステップとを含む方法が提供される。
【００１５】
本明細書では、多数の受信機がシステム内に含まれてよいことに留意されたい。各受信機は、無線信号を遮断および／または反射する物体を含む、多くの要因に依存する受信領域を有してよい。したがって、どの特定の受信機が各デバイスからの信号を拾い上げるかは変動する可能性がある。接続を受けるデバイスからの信号は、異なる受信機によって検出されてよい。一構成では、個々の送信機を、複数の受信機によって受信することができる。別の構成では、デバイスの対の各送信機を、異なる受信機によって検出することができる。さらに別の構成では、デバイス送信機の対を、複数の受信機によって検出することができる。組合せ論理により、複数の受信機から受信された複雑で潜在的に冗長なデータから、どの送信機が共に接続されているか決定することができる。
【００１６】
非限定的な実施形態または態様によれば、電子医療記録のための動的なアプリケーション選択のためのコンピュータプログラム製品であって、プログラム命令を含む少なくとも１つの非一時的なコンピュータ可読媒体を備え、プログラム命令は、少なくとも１つのプロセッサによって実行されたとき、少なくとも１つのプロセッサに、接続領域内の複数の送信源から複数のデバイスの複数の物理パラメータを受信することであって、複数の物理パラメータは、複数のデバイスの物理的状態を示すこと、および複数のデバイスの複数の物理パラメータに基づいて、複数のデバイス間の少なくとも１つの物理的接続状態を決定することを行わせる、コンピュータプログラム製品が提供される。
【００１７】
さらなる実施形態または態様が以下の番号の振られた条項に記載されている。
【００１８】
条項１．接続領域内のデバイス接続を識別するためのシステムであって、少なくとも１つのプロセッサを含む少なくとも１つのコンピュータを備え、少なくともコンピュータは、接続領域内の複数の送信源から複数のデバイスの複数の物理パラメータを受信することであって、複数の物理パラメータは、複数のデバイスの物理的状態を示すこと、および複数のデバイスの複数の物理パラメータに基づいて、複数のデバイス間の少なくとも１つの物理的接続状態を決定することを行うようにプログラムおよび／または構成される、システム。
【００１９】
条項２．少なくとも１つのコンピュータは、複数のデバイス間の少なくとも１つの物理的接続状態に基づいて、複数のデバイスのうちの少なくとも１つのデバイスを含む流体流路内の流体の流れを制御するようにプログラムおよび／または構成される条項１に記載のシステム。
【００２０】
条項３．少なくとも１つのコンピュータは、患者に関連付けられた患者識別子を受信すること、流体流路を介して患者に送達されることになる医薬品の医薬品識別子を受信すること、患者識別子および医薬品識別子を流体流路の少なくとも１つのデバイスに関連付けること、および、患者識別子および医薬品識別子に基づいて流体流路内の流体の流れを制御することを行うようにプログラムおよび／または構成される条項１または２に記載のシステム。
【００２１】
条項４．少なくとも１つのコンピュータは、複数のデバイス間の少なくとも１つの物理的接続状態に基づいて、複数のデバイスのうちの少なくとも１つのデバイスを含む流体流路のデジタル表現を生成すること、および流体流路の表現に基づいて、流体流路内の流体の流れを監視することを行うようにプログラムおよび／または構成される条項１乃至３のいずれか一項に記載のシステム。
【００２２】
条項５．少なくとも１つのコンピュータは、接続領域内で可聴および／または可視のインジケーションを出力する、またはそれを出力させるようにプログラムおよび／または構成され、可聴および／または可視のインジケーションは、流体流路の状況を示す条項１乃至４のいずれか一項に記載のシステム。
【００２３】
条項６．複数の物理パラメータは、複数のイベント時間に関連付けられ、複数のイベント時間は、複数のデバイスの物理的状態の変化の時間を示し、少なくとも１つのコンピュータは、複数のイベント時間に基づいて、少なくとも１つの接続状態を決定するようにプログラムおよび／または構成される条項１乃至５のいずれか一項に記載のシステム。
【００２４】
条項７．少なくとも１つのコンピュータは、複数のイベント時間がスライディングタイムウィンドウ内にあるかどうか決定するようにプログラムおよび／または構成される条項１乃至６のいずれか一項に記載のシステム。
【００２５】
条項８．少なくとも１つのコンピュータは、複数のデバイスのうちの少なくとも１つのデバイスが接続領域内にあると決定することであって、少なくとも１つのデバイスは、複数の物理パラメータのうちの少なくとも１つの物理パラメータに関連付けられること、少なくとも１つのデバイスに関連付けられたデバイス識別子を受信すること、デバイス識別子を少なくとも１つのデバイスの少なくとも１つの物理パラメータに関連付けること、および、接続領域内のデバイスのリストを含むデバイスレジスタを、少なくとも１つの物理パラメータに関連付けてデバイス識別子で更新することを行うようにプログラムおよび／または構成される条項１乃至７のいずれか一項に記載のシステム。
【００２６】
条項９．少なくとも１つのコンピュータは、少なくとも１つのデバイスが接続領域の外側にあると決定すること、および、デバイスレジスタからデバイス識別子を除去することを行うようにプログラムおよび／または構成される条項１乃至８のいずれか一項に記載のシステム。
【００２７】
条項１０．少なくとも１つのコンピュータは、複数のデバイスの少なくとも１つの事前定義された互換性に基づいて、複数のデバイス間の少なくとも１つの接続状態を決定するようにプログラムおよび／または構成される条項１乃至９のいずれか一項に記載のシステム。
【００２８】
条項１１．複数の物理パラメータは、複数のデバイスの複数の異なる物理的状態を示す条項１乃至１０のいずれか一項に記載のシステム。
【００２９】
条項１２．複数の物理パラメータのうちの少なくとも１つの物理パラメータは、複数のデバイスのうちの少なくとも１つのデバイスの物理的状態の状態有限集合を示す条項１乃至１１のいずれか一項に記載のシステム。
【００３０】
条項１３．複数の物理パラメータのうちの少なくとも１つの物理パラメータは、複数のデバイスのうちの少なくとも１つのデバイスの物理的状態の変化の大きさを示す条項１乃至１２のいずれか一項に記載のシステム。
【００３１】
条項１４．複数の物理パラメータのうちの少なくとも１つの物理パラメータは、複数のデバイスのうちの少なくとも１つのデバイスの複数のコネクタの物理的状態を示す複数の接続パラメータを含み、少なくとも１つの物理的接続状態は、少なくとも１つのデバイスの少なくとも１つのコネクタの少なくとも１つの接続パラメータに基づいて決定される条項１乃至１３のいずれか一項に記載のシステム。
【００３２】
条項１５．複数のデバイスと、複数のデバイス上の複数のセンサであって、複数の物理パラメータを決定するために複数のデバイスの物理的状態を感知するように構成された、複数のセンサと、複数のデバイス上の複数の送信源であって、複数の物理パラメータを送信するように構成された、複数の送信源と、接続領域内の複数の送信源を検出し、複数の送信源から複数の物理パラメータを受信し、少なくとも１つのプロセッサを含む少なくとも１つのコンピュータに複数の物理パラメータを提供するように構成された少なくとも１つの受信機とをさらに備える条項１乃至１４のいずれか一項に記載のシステム。
【００３３】
条項１６．少なくとも１つの受信機は、少なくとも１つのプロセッサを含む少なくとも１つのコンピュータを備える条項１乃至１５のいずれか一項に記載のシステム。
【００３４】
条項１７．少なくとも１つのプロセッサを含む少なくとも１つのコンピュータは、少なくとも１つの受信機から遠隔である条項１乃至１６のいずれか一項に記載のシステム。
【００３５】
条項１８．少なくとも１つの受信機は、接続領域内の複数の受信機を含み、複数の受信機は、少なくとも１つの遠隔コンピュータと通信するように構成される条項１乃至１７のいずれか一項に記載のシステム。
【００３６】
条項１９．少なくとも１つの遠隔コンピュータは、第１の接続領域の外側の第２の接続領域内の第２の複数の送信源から第２の複数のデバイスの第２の複数の物理パラメータを受信することであって、第２の複数の物理パラメータは、第２の複数のデバイスの物理的状態を示すこと、および、第２の複数のデバイスの第２の複数の物理パラメータに基づいて、第２の複数のデバイス間の少なくとも１つの第２の物理的接続状態を決定することを行うようにプログラムおよび／または構成される、条項１乃至１８のいずれか一項に記載のシステム。
【００３７】
条項２０．接続領域内のデバイス接続を識別するためのシステムであって、少なくとも１つの第１のデバイスと、少なくとも１つの第２のデバイスであって、少なくとも１つの第１のデバイスは、少なくとも１つの第２のデバイスに物理的に接続されるように構成される、第２のデバイスと、少なくとも１つの第１のデバイス上の少なくとも１つの第１のセンサであって、少なくとも１つの第１のデバイスの少なくとも１つの第１の物理パラメータを決定するために、少なくとも１つの第１のデバイスの少なくとも１つの物理的状態を感知するように構成される、少なくとも１つの第１のセンサと、少なくとも１つの第１のデバイス上の少なくとも１つの第１の送信源であって、少なくとも１つの第１のデバイスの少なくとも１つの第１の物理パラメータを送信するように構成される、少なくとも１つの第１の送信源と、少なくとも１つの第２のデバイス上の少なくとも１つの第２のセンサであって、少なくとも１つの第２のデバイスの少なくとも１つの第２の物理パラメータを決定するために、少なくとも１つの第２のデバイスの少なくとも１つの物理的状態を感知するように構成される、少なくとも１つの第２のセンサと、少なくとも１つの第２のデバイス上の少なくとも１つの第２の送信源であって、少なくとも１つの第２のデバイスの少なくとも１つの第２の物理パラメータを送信するように構成される、少なくとも１つの第２の送信源と、接続領域内の少なくとも１つの第１の送信源を検出し、接続領域内の少なくとも１つの第２の送信源を検出し、少なくとも１つの第１の送信源から少なくとも１つの第１の物理パラメータを受信し、少なくとも１つの第２の送信源から少なくとも１つの第２の物理パラメータを受信するように構成された少なくとも１つの受信機とを備えるシステム。
【００３８】
条項２１．少なくとも１つの第１のデバイスは、患者、少なくとも１つの第２のデバイス、少なくとも１つの第３のデバイス、少なくとも１つの第２のデバイスの１つまたは複数のコネクタ、少なくとも１つの第３のデバイスの１つまたは複数のコネクタ、またはそれらの任意の組合せのうちの少なくとも１つに物理的に接続されるように構成された複数のコネクタを備え、少なくとも１つの第１の物理パラメータは、少なくとも１つの第１のデバイスの複数のコネクタの物理的状態を示す複数の接続パラメータを含む条項２０に記載のシステム。
【００３９】
条項２２．少なくとも１つの第１の物理パラメータは、少なくとも１つの第１のデバイスの複数のコネクタのうちの２つ以上のコネクタ間の少なくとも１つの所定の接続状態を示す情報を含む条項２０または２１に記載のシステム。
【００４０】
条項２３．少なくとも１つのプロセッサを含む少なくとも１つのコンピュータをさらに備え、少なくともコンピュータは、少なくとも１つの第１のデバイス物理パラメータに関連付けられた少なくとも１つの第１のイベント時間を受信すること、少なくとも１つの第２のデバイス物理パラメータに関連付けられた少なくとも１つの第２のイベント時間を受信すること、ならびに、少なくとも１つの第１のデバイス物理パラメータ、少なくとも１つの第２のデバイス物理パラメータ、少なくとも１つの第１のイベント時間、および少なくとも１つの第２のイベント時間に基づいて、少なくとも１つの第１のデバイスと少なくとも１つの第２のデバイスとの間の少なくとも１つの接続状態を決定することを行うようにプログラムおよび／または構成される条項２０乃至２２のいずれか一項に記載のシステム。
【００４１】
条項２４．少なくとも１つの第１のデバイスは、シリンジ、ＩＶスパイク、ＩＶアクセス部位、ＩＶバッグ、ＩＶセット、カテーテル、医療デバイスコネクタ、またはそれらの任意の組合せのうちの１つを含む条項２０乃至２３のいずれか一項に記載のシステム。
【００４２】
条項２５．少なくとも１つの第１の送信源は、ＲＦＩＤ送信源を含む条項２０乃至２４のいずれか一項に記載のシステム。
【００４３】
条項２６．少なくとも１つの第１のセンサは、圧力センサを含む条項２０乃至２５のいずれか一項に記載のシステム。
【００４４】
条項２７．少なくとも１つのタグと一体形成された少なくとも１つの第１のセンサおよび少なくとも１つの第１の送信源を含む少なくとも１つのタグをさらに備え、少なくとも１つの第１のセンサおよび少なくとも１つの第１の送信源は、少なくとも１つのタグの外側の環境から封止される条項２０乃至２６のいずれか一項に記載のシステム。
【００４５】
条項２８．少なくとも１つのタグは、リング形状である条項２０乃至２７のいずれか一項に記載のシステム。
【００４６】
条項２９．少なくとも１つの第１のデバイスは、流体流路の少なくとも一部分を形成し、少なくとも１つのタグは、少なくとも１つの第１のデバイスの流体出口または流体入口で少なくとも１つの第１のデバイスに取り付けられる条項２０乃至２８のいずれか一項に記載のシステム。
【００４７】
条項３０．少なくとも１つの受信機は、接続領域内で互いに離隔された複数の受信機を含む条項２０乃至２９のいずれか一項に記載のシステム。
【００４８】
条項３０ａ．複数のデバイスの同一性（ｉｄｅｎｔｉｔｙ）は、キャップ装着またはキャップ取外しイベントである条項１に記載のシステム。
【００４９】
条項３０ｂ．複数のデバイスの同一性（ｉｄｅｎｔｉｔｙ）は、システムイベント内に、またはその外に構成要素を置くことを監視することである条項１に記載のシステム。
【００５０】
条項３０ｃ．構成要素を置くことを監視することは、カテーテル固定デバイスを置くことを監視することである条項３０ｂに記載のシステム。
【００５１】
条項３０ｄ．複数のデバイスの同一性（ｉｄｅｎｔｉｔｙ）は、システムの少なくとも１つの構成要素の消毒状態である条項１に記載のシステム。
【００５２】
条項３０ｅ．システムイベントの少なくとも１つの構成要素の消毒は、抗菌剤でのＩＶ部位の準備である条項３０ｄに記載のシステム。
【００５３】
条項３１．接続領域内のデバイス接続を識別するためのコンピュータ実装方法であって、少なくとも１つのプロセッサで接続領域内の複数の送信源から複数のデバイスの複数の物理パラメータを受信するステップであって、複数の物理パラメータは、複数のデバイスの物理的状態を示す、ステップと、少なくとも１つのプロセッサで、複数のデバイスの複数の物理パラメータに基づいて複数のデバイス間の少なくとも１つの物理的接続状態を決定するステップとを含む方法。
【００５４】
条項３２．少なくとも１つのプロセッサで、複数のデバイス間の少なくとも１つの物理的接続状態に基づいて、複数のデバイスのうちの少なくとも１つのデバイスを含む流体流路内の流体の流れを制御するステップをさらに含む条項３１に記載の方法。
【００５５】
条項３３．少なくとも１つのプロセッサで患者に関連付けられた患者識別子を受信するステップと、少なくとも１つのプロセッサで、流体流路を介して患者に送達されることになる医薬品の医薬品識別子を受信するステップと、少なくとも１つのプロセッサで、患者識別子および医薬品識別子を流体流路の少なくとも１つのデバイスに関連付けるステップと、少なくとも１つのプロセッサで、患者識別子および医薬品識別子に基づいて流体流路内の流体の流れを制御するステップとをさらに含む条項３１または３２に記載の方法。
【００５６】
条項３４．少なくとも１つのプロセッサで、複数のデバイス間の少なくとも１つの物理的接続状態に基づいて、複数のデバイスのうちの少なくとも１つのデバイスを含む流体流路のデジタル表現を生成するステップと、少なくとも１つのプロセッサで、流体流路の表現に基づいて流体流路内の流体の流れを監視するステップとをさらに含む条項３１乃至３３のいずれか一項に記載の方法。
【００５７】
条項３５．少なくとも１つのプロセッサで、接続領域内で可聴および／または可視のインジケーションを出力するように聴覚および／または視覚的出力デバイスを制御するステップをさらに含み、可聴および／または可視のインジケーションは、流体流路の状況を示す条項３１乃至３４のいずれか一項に記載の方法。
【００５８】
条項３６．複数の物理パラメータは、複数のイベント時間に関連付けられ、複数のイベント時間は、複数のデバイスの物理的状態の変化の時間を示し、方法は、少なくとも１つのプロセッサで、複数のイベント時間に基づいて少なくとも１つの接続状態を決定するステップをさらに含む条項３１乃至３５のいずれか一項に記載の方法。
【００５９】
条項３７．少なくとも１つのプロセッサで、複数のイベント時間がスライディングタイムウィンドウ内にあるかどうか決定するステップをさらに含む条項３１乃至３６のいずれか一項に記載の方法。
【００６０】
条項３８．少なくとも１つのプロセッサで、複数のデバイスのうちの少なくとも１つのデバイスが接続領域内にあることを決定するステップであって、少なくとも１つのデバイスは、複数の物理パラメータのうちの少なくとも１つの物理パラメータに関連付けられる、ステップと、少なくとも１つのプロセッサで、少なくとも１つのデバイスに関連付けられたデバイス識別子を受信するステップと、少なくとも１つのプロセッサで、デバイス識別子を少なくとも１つのデバイスの少なくとも１つの物理パラメータに関連付けるステップと、少なくとも１つのプロセッサで、接続領域内のデバイスのリストを含むデバイスレジスタを、少なくとも１つの物理パラメータに関連付けてデバイス識別子で更新するステップとをさらに含む条項３１乃至３７のいずれか一項に記載の方法。
【００６１】
条項３９．少なくとも１つのプロセッサで、少なくとも１つのデバイスが接続領域の外側にあると決定するステップと、少なくとも１つのプロセッサで、デバイスレジスタからデバイス識別子を除去するステップとをさらに含む条項３１乃至３８のいずれか一項に記載の方法。
【００６２】
条項４０．少なくとも１つのプロセッサで、複数のデバイスの少なくとも１つの事前定義された互換性に基づいて、複数のデバイス間の少なくとも１つの接続状態を決定するステップをさらに含む条項３１乃至３９のいずれか一項に記載の方法。
【００６３】
条項４１．複数の物理パラメータは、複数のデバイスの複数の異なる物理的状態を示す条項３１乃至４０のいずれか一項に記載の方法。
【００６４】
条項４２．複数の物理パラメータのうちの少なくとも１つの物理パラメータは、複数のデバイスのうちの少なくとも１つのデバイスの物理的状態の状態有限集合を示す条項３１乃至４１のいずれか一項に記載の方法。
【００６５】
条項４３．複数の物理パラメータのうちの少なくとも１つの物理パラメータは、複数のデバイスのうちの少なくとも１つのデバイスの物理的状態の変化の大きさを示す条項３１乃至４２のいずれか一項に記載の方法。
【００６６】
条項４４．複数の物理パラメータのうちの少なくとも１つの物理パラメータは、複数のデバイスのうちの少なくとも１つのデバイスの複数のコネクタの物理的状態を示す複数の接続パラメータを含み、少なくとも１つの物理的接続状態は、少なくとも１つのデバイスの少なくとも１つのコネクタの少なくとも１つの接続パラメータに基づいて決定される条項３１乃至４３のいずれか一項に記載の方法。
【００６７】
条項４５．複数のデバイス上の複数のセンサで、複数の物理パラメータを決定するために、複数のデバイスの物理的状態を感知するステップと、複数のデバイス上の複数の送信源で複数の物理パラメータを送信するステップと、少なくとも１つの受信機で、接続領域内の複数の送信源を検出し、複数の送信源から複数の物理パラメータを受信するステップとをさらに含む条項３１乃至４４のいずれか一項に記載の方法。
【００６８】
条項４６．少なくとも１つの受信機で、少なくとも１つのプロセッサを含む少なくとも１つの遠隔コンピュータに複数の物理パラメータを送信するステップをさらに含む条項３１乃至４５のいずれか一項に記載の方法。
【００６９】
条項４７．少なくとも１つの遠隔コンピュータで、複数の物理パラメータを受信するステップと、第１の接続領域の外側の第２の接続領域内の第２の複数の送信源から第２の複数のデバイスの第２の複数の物理パラメータを受信するステップであって、第２の複数の物理パラメータは、第２の複数のデバイスの物理的状態を示す、ステップと、第２の複数のデバイスの第２の複数の物理パラメータに基づいて、第２の複数のデバイス間の少なくとも１つの第２の物理的接続状態を決定するステップとをさらに含む条項３１乃至４６のいずれか一項に記載の方法。
【００７０】
条項４８．接続領域内のデバイス接続を識別するための方法であって、少なくとも１つの第１のデバイス上の少なくとも１つの第１のセンサで、少なくとも１つの第１のデバイスの少なくとも１つの第１の物理パラメータを決定するために、少なくとも１つの第１のデバイスの少なくとも１つの物理的状態を感知するステップと、少なくとも１つの第１のデバイス上の少なくとも１つの第１の送信源で、少なくとも１つの第１のデバイスの少なくとも１つの第１の物理パラメータを送信するステップと、少なくとも１つの第２のデバイス上の少なくとも１つの第２のセンサで、少なくとも１つの第２のデバイスの少なくとも１つの第２の物理パラメータを決定するために、少なくとも１つの第２のデバイスの少なくとも１つの物理的状態を感知するステップと、少なくとも１つの第２のデバイス上の少なくとも１つの第２の送信源で、少なくとも１つの第２のデバイスの少なくとも１つの第２の物理パラメータを送信するステップと、少なくとも１つの信号受信機で、接続領域内の少なくとも１つの第１の送信源を検出するステップと、接続領域内の少なくとも１つの第２の送信源を検出するステップと、少なくとも１つの第１の送信源から少なくとも１つの第１の物理パラメータを受信するステップと、少なくとも１つの第２の送信源から少なくとも１つの第２の物理パラメータを受信するステップとを含む方法。
【００７１】
条項４９．少なくとも１つの第１のデバイスは、患者、少なくとも１つの第２のデバイス、少なくとも１つの第３のデバイス、少なくとも１つの第２のデバイスの１つまたは複数のコネクタ、少なくとも１つの第３のデバイスの１つまたは複数のコネクタ、またはそれらの任意の組合せのうちの少なくとも１つに物理的に接続されるように構成された複数のコネクタを備え、少なくとも１つの第１の物理パラメータは、少なくとも１つの第１のデバイスの複数のコネクタの物理的状態を示す複数の接続パラメータを含む条項４８に記載の方法。
【００７２】
条項５０．少なくとも１つの第１の物理パラメータは、少なくとも１つの第１のデバイスの複数のコネクタのうちの２つ以上のコネクタ間の少なくとも１つの所定の接続状態を示す情報を含む条項４８または４９に記載の方法。
【００７３】
条項５１．少なくとも１つのプロセッサで、少なくとも１つの第１のデバイス物理パラメータに関連付けられた少なくとも１つの第１のイベント時間を受信するステップと、少なくとも１つのプロセッサで、少なくとも１つの第２のデバイス物理パラメータに関連付けられた少なくとも１つの第２のイベント時間を受信するステップと、少なくとも１つのプロセッサで、少なくとも１つの第１のデバイス物理パラメータ、少なくとも１つの第２のデバイス物理パラメータ、少なくとも１つの第１のイベント時間、および少なくとも１つの第２のイベント時間に基づいて、少なくとも１つの第１のデバイスと少なくとも１つの第２のデバイスとの間の少なくとも１つの接続状態を決定するステップとをさらに含む条項４８乃至５０のいずれか一項に記載の方法。
【００７４】
条項５２．少なくとも１つの第１のデバイスは、シリンジ、ＩＶスパイク、ＩＶアクセス部位、ＩＶバッグ、ＩＶセット、カテーテル、医療デバイスコネクタ、またはそれらの任意の組合せのうちの１つを含む条項４８乃至５１のいずれか一項に記載の方法。
【００７５】
条項５３．少なくとも１つの第１の送信源は、無線送信源を含む条項４８乃至５２のいずれか一項に記載の方法。
【００７６】
条項５４．少なくとも１つの第１のセンサは、圧力センサを含む条項４８乃至５３のいずれか一項に記載の方法。任意選択で、圧力センサは、圧力が指定された閾値を超えた場合、バイナリ出力を出力するように動作するモーメンタリスイッチとすることができる。
【００７７】
条項５５．少なくとも１つの第１の送信源は、接続領域に進入したことに応答して少なくとも１つの第１の物理パラメータを送信する条項４８乃至５４のいずれか一項に記載の方法。
【００７８】
条項５６．少なくとも１つの第１の送信源は、少なくとも１つの第１のセンサが少なくとも１つの第１のデバイスの少なくとも１つの物理的状態の変化を感知したことに応答して少なくとも１つの第１の物理パラメータを送信する条項４８乃至５５のいずれか一項に記載の方法。
【００７９】
条項５７．電子医療記録のための動的なアプリケーション選択のためのコンピュータプログラム製品であって、プログラム命令を含む少なくとも１つの非一時的なコンピュータ可読媒体を備え、プログラム命令は、少なくとも１つのプロセッサによって実行されたとき、少なくとも１つのプロセッサに、接続領域内の複数の送信源から複数のデバイスの複数の物理パラメータを受信することであって、複数の物理パラメータは、複数のデバイスの物理的状態を示すこと、および、複数のデバイスの複数の物理パラメータに基づいて、複数のデバイス間の少なくとも１つの物理的接続状態を決定することを行わせるコンピュータプログラム製品。
【００８０】
本明細書では、送信機は、使用されるデバイスのアクティブ化状態または接続状態についての情報を送ってよいことを理解されたい。これらの状態と共に、デバイス同一性が運ばれてよく、これは、一意であっても（たとえば、ＳＫＵレベルで）、一般的なデバイスタイプであることもできる。個々の一意のデバイス同一性は、ＳＫＵを識別するために使用することができ、ＳＫＵは、デバイスのタイプを識別するために使用することができる。
【００８１】
さらに、本明細書では、システムは、施設で使用されるデバイスの物理特性のデジタル説明を含むデバイスのデータベースを含むことができることを理解されたい。このデータベースは、たとえば、各デバイスの流体路構造、デバイス間の可能なインタラクション、入口および出口、接続点、ならびにそれらの間の流体路の長さおよび容積を含んでよい。たとえば、ＩＶセットを検出することができる。デジタル表現は、コネクタの位置、およびすべての入口と出口との間の分岐する流体路の構造を含むことができる。
【００８２】
さらに、本明細書では、システムは、流体路、流体路内のデバイスのインタラクション、および受信機領域内の他のデバイスのデジタル表現を創出するために、コンピュータアプリケーションによってアクセスすることができるデータベースを含むことができることを理解されたい。
【００８３】
さらに、システムは、競合を解決するためにデータベース内の情報を使用するコンピュータアプリケーションを含むことができることが企図されている。たとえば、２つの接続のセットが同時に検出された場合、データベース内の情報は、接続のどの対が正確であるという最も高い可能性を有するかを解決する助けとなることができる。
【００８４】
本開示のこれらの、および他の特徴および特性は、構造の関連要素および部分の組合せの動作の方法および機能ならびに製造の経済性と共に、それらのすべてが本明細書の一部を形成し同様の符号が様々な図において対応する部分を示す添付の図面を参照して、以下の説明および添付の特許請求の範囲を検討すれば、より明らかになろう。しかし、これらの図面は、例示および説明のためのものにすぎず、本開示の制限の定義として意図されていないことを明確に理解されたい。本明細書および特許請求の範囲で使用されるとき、単数形「ａ」「ａｎ」および「ｔｈｅ」は、別段文脈により明らかに示されていない限り、複数の指示対象を含む。
【図面の簡単な説明】
【００８５】
本開示の実施形態または態様の追加の利点および詳細は、添付の概略図に示されている例示的な実施形態を参照して、以下でより詳細に述べられている。
【００８６】
【図１】本明細書に記載のシステム、デバイス、製品、装置、および／または方法が本開示の実施形態または態様に従って実装されてよい環境の非限定的な実施形態または態様の図である。
【図２】図１の１つまたは複数のデバイスの構成要素の非限定的な実施形態または態様の図である。
【図３】図１の１つまたは複数のデバイスの構成要素の非限定的な実施形態または態様の図である。
【図４】図３の１つまたは複数のデバイスの構成要素の非限定的な実施形態または態様の一実装の斜視図である。
【図５】図３の１つまたは複数のデバイスの構成要素の非限定的な実施形態または態様の一実装の斜視図である。
【図６Ａ】図３の１つまたは複数のデバイスの構成要素の非限定的な実施形態または態様の一実装の斜視図である。
【図６Ｂ】図３の１つまたは複数のデバイスの構成要素の非限定的な実施形態または態様の一実装の斜視図である。
【図６Ｃ】図３の１つまたは複数のデバイスの構成要素の非限定的な実施形態または態様の一実装の斜視図である。
【図６Ｄ】図３の１つまたは複数のデバイスの構成要素の非限定的な実施形態または態様の一実装の斜視図である。
【図６Ｅ】図３の１つまたは複数のデバイスの構成要素の非限定的な実施形態または態様の一実装の斜視図である。
【図７】図３の１つまたは複数のデバイスの構成要素の非限定的な実施形態または態様の一実装の斜視図である。
【図８】本開示の実施形態または態様による接続領域内のデバイス接続を識別するためのプロセスの非限定的な実施形態または態様の流れ図である。
【図９】本開示の実施形態または態様による接続領域内のデバイス接続を識別するためのプロセスの非限定的な実施形態または態様の別の流れ図である。
【図１０】本開示の実施形態または態様による接続領域内のデバイス接続を識別するためのプロセスの非限定的な実施形態または態様の別の流れ図である。
【図１１Ａ】図８〜１０に示されているプロセスの非限定的な実施形態または態様の一実装の概要の図である。
【図１１Ｂ】図８〜１０に示されているプロセスの非限定的な実施形態または態様の一実装の例示的なデバイスの図である。
【図１１Ｃ】図８〜１０に示されているプロセスの非限定的な実施形態または態様の一実装の例示的なデータの表である。
【図１２】コンピュータベースの論理デバイス分岐構造にマッピングされた例示的な物理デバイス分岐構造の図である。
【図１３】図１に示されている環境の非限定的な実施形態または態様の一実装の図である。
【発明を実施するための形態】
【００８７】
以下、説明のために、「端部」「上側」「下側」「右」「左」「垂直」「水平」「上部」「底部」「横方向」「長手方向」という用語およびそれらの派生語は、図面の図における向きのままに本開示のことを述べているものとする。しかし、本開示は、それとは反対に明確に指定されている場合を除き、様々な代替の変形形態およびステップシーケンスをとってよいことを理解されたい。また、添付の図面に示され以下の明細書に記載されている特定のデバイスおよびプロセスは、本開示の単に例示的な実施形態または態様であることを理解されたい。したがって、本明細書に開示されている実施形態または実施形態の態様に関する特定の寸法および他の物理特性は、別段示されていない限り、限定するものと考えられるべきでない。
【００８８】
本明細書で使用される態様、構成要素、要素、構造、行為、ステップ、機能、命令、および／または同様のものはどれも、そのようなものとして明示的に記載されていない限り、重要なものまたは本質的なものと解釈されるべきでない。また、本明細書で使用されるとき、冠詞「ａ」および「ａｎ」は、１つまたは複数の項目を含むことが意図されており、「１つまたは複数」および「少なくとも１つ」と相互交換可能に使用されてよい。さらに、本明細書で使用されるとき、「セット」という用語は、１つまたは複数の項目（たとえば、関連項目、非関連項目、関連項目と非関連項目の組合せなど）を含むことが意図されており、「１つまたは複数」または「少なくとも１つ」と相互交換可能に使用されてよい。１つの項目だけが意図されている場合、「１つ」という用語または同様の文言が使用される。また、本明細書で使用されるとき、「ｈａｓ（有する）」「ｈａｖｅ（有する）」「ｈａｖｉｎｇ（有する）」などの用語は、オープンエンドの用語であることが意図されている。さらに、「に基づく」という句は、別段明示的に述べられていない限り、「少なくとも部分的に基づく」を意味することが意図されている。
【００８９】
本明細書で使用されるとき、「通信」および「通信する」という用語は、情報（たとえば、データ、信号、メッセージ、命令、コマンド、および／または同様のもの）の受信（ｒｅｃｅｐｔｉｏｎ）、受信（ｒｅｃｅｉｐｔ）、送信、転送、提供、および／または同様のものを指してよい。１つのユニット（たとえば、デバイス、システム、デバイスもしくはシステムの構成要素、それらの組合せ、および／または同様のもの）が別のユニットと通信状態にあることは、その１つのユニットが直接または間接的に他のユニットから情報を受信し、および／または他のユニットに情報を送信することができることを意味する。これは、事実上有線および／または無線である直接接続または間接接続（たとえば、直接通信接続、間接通信接続、および／または同様のもの）を指してよい。さらに、２つのユニットは、たとえ送信された情報が第１のユニットと第２のユニットとの間で修正、処理、遅延、および／または経路指定されてよいとしても、互いに通信状態にあってよい。たとえば、第１のユニットは、たとえ第１のユニットが情報を受動的に受信し、第２のユニットに情報を能動的に送信しないとしても、第２のユニットと通信状態にあってよい。別の例として、第１のユニットは、少なくとも１つの中間ユニット（たとえば、第１のユニットと第２のユニットとの間に位置する第３のユニット）が第１のユニットから受信された情報を処理し、処理された情報を第２のユニットに通信する場合、第２のユニットと通信状態にあってよい。いくつかの非限定的な実施形態では、メッセージは、データを含むネットワークパケット（たとえば、データパケット、および／または同様のもの）を指してよい。多数の他の構成が可能であることを理解されたい。
【００９０】
本明細書で使用されるとき、「コンピューティングデバイス」という用語は、１つまたは複数のネットワークと、またはそれらにわたって直接または間接的に通信するように構成された１つまたは複数の電子デバイスを指してよい。コンピューティングデバイスは、モバイルデバイスであってよい。本明細書で使用されるとき、「モバイルデバイス」という用語は、１つまたは複数のネットワークと通信するように構成された１つまたは複数のポータブル電子デバイスを指してよい。一例として、モバイルデバイスは、セルラ電話（たとえば、スマートフォンまたは標準的なセルラ電話）、ポータブルコンピュータ（たとえば、タブレットコンピュータ、ラップトップコンピュータなど）、ウェアラブルデバイス（たとえば、腕時計、眼鏡、レンズ、衣類、および／または同様のもの）、携帯情報端末（ＰＤＡ）、および／または他のデバイスを含んでよい。コンピューティングデバイスは、デスクトップコンピュータなど、モバイルデバイスでなくてよい。さらに、「コンピュータ」という用語は、データを受信、処理、および出力するために必要な構成要素を含み、通常、ディスプレイ、プロセッサ、メモリ、入力デバイス、およびネットワークインターフェースを含む任意のコンピューティングデバイスを指してよい。
【００９１】
本明細書で使用されるとき、「データ送信装置」または「送信源」は、接続領域内の受信機にデータまたは信号を送信するために使用されてよい１つまたは複数のデバイスを指してよい。たとえば、データ送信装置または送信源は、１つまたは複数のコンピュータ、周辺デバイス、近距離通信（ＮＦＣ）送信源、無線周波数識別（ＲＦＩＤ）送信源、および／または他の非接触送信源もしくはトランシーバ、接触ベースの送信源、コンピュータ、サーバ、出力デバイス、および／または同様のものを含んでよい。
【００９２】
本明細書で使用されるとき、「受信機」という用語は、データ送信装置または送信源からデータまたは信号を受信するために使用され、１つまたは複数のネットワークと通信するように構成された１つまたは複数の電子デバイスまたはシステム（たとえば、接続領域内に位置し、データ送信装置または送信源から別々の、遠隔の、および／または離隔されたもの）を指してよい。たとえば、受信機は、１つまたは複数のコンピュータ、ポータブルコンピュータ、タブレットコンピュータ、セルラ電話、ウェアラブルデバイス（たとえば、腕時計、眼鏡、レンズ、衣類、および／または同様のもの）、ＰＤＡ、および／または同様のものを含んでよい。いくつかの非限定的な実施形態または態様では、受信機は、１つまたは複数のコンピュータ、周辺デバイス、近距離通信（ＮＦＣ）受信源、無線周波数識別（ＲＦＩＤ）受信源、および／または他の非接触受信源もしくはトランシーバ、接触ベースの受信源、コンピュータ、サーバ、入力デバイス、および／または同様のものを含んでよい。
【００９３】
本明細書で使用されるとき、「接続領域」という用語は、その領域または場所に関連付けられた１つまたは複数の受信機が、接続領域内に位置する、接続に進入済み、および／または接続領域に進入中である１つまたは複数のデータ送信装置または送信源からデータ送信または信号送信を受信するように構成される領域または場所を指してよい。たとえば、接続領域は、１つまたは複数の受信機と１つまたは複数のデータ送信装置または送信源との間の無線通信ネットワークの範囲によって定義されてよい。
【００９４】
本明細書で使用されるとき、「サーバ」という用語は、ネットワーク（たとえば、パブリックネットワーク、インターネット、プライベートネットワーク、および／または同様のもの）の上で受信機、データ送信装置もしくは送信源、および／または他のコンピューティングデバイスと通信し、いくつかの例では、他のサーバおよび／または受信機の間の通信を容易にする１つまたは複数のコンピューティングデバイス（たとえば、プロセッサ、記憶デバイス、同様のコンピュータ構成要素、および／または同様のもの）を指してよい。様々な他の構成が可能であることを理解されたい。本明細書で使用されるとき、「システム」という用語は、１つまたは複数のコンピューティングデバイスまたはコンピューティングデバイスの組合せ（たとえば、プロセッサ、サーバ、クライアントデバイス、ソフトウェアアプリケーション、そのようなものの構成要素および／または同様のもの）を指してよい。「デバイス」、「サーバ」、「プロセッサ」および／または同様のものに言及することは、本明細書で使用されるとき、以前のステップまたは機能を実施するものとして述べられている前述のデバイス、サーバ、またはプロセッサ、異なるサーバもしくはプロセッサ、ならびに／またはサーバおよび／もしくはプロセッサの組合せを指してよい。たとえば、本明細書および特許請求の範囲で使用されるとき、第１のステップまたは第１の機能を実施するものとして述べられている第１のサーバまたは第１のプロセッサは、第２のステップまたは第２の機能を実施するものとして述べられている同じもしくは異なるサーバまたは同じもしくは異なるプロセッサを指してよい。
【００９５】
本明細書で使用されるとき、「アプリケーション」または「アプリケーションプログラムインターフェース」（ＡＰＩ）という用語は、プロセッサによって実行され、クライアントからデータを受信するためにクライアント側フロントエンドおよび／またはサーバ側バックエンドなどソフトウェア構成要素間でのインタラクションを容易にするコンピュータ可読媒体上で分類されるコンピュータコード、規則のセット、または他のデータを指す。「インターフェース」は、ユーザがそれを用いて直接または間接的に（たとえば、キーボード、マウスなどを通じて）インタラクションしてよい１つまたは複数のグラフィカルユーザインターフェース（ＧＵＩ）など生成された表示を指す。
【００９６】
本開示の非限定的な実施形態または態様は、接続領域内のデバイス接続を識別するためのシステム、方法、およびコンピュータプログラム製品を対象とする。本開示の非限定的な実施形態または態様は、接続デバイスが互いに直接通信またはインタラクションすることなく、同時に相互接続することができる複数のデバイスがある環境内で現在接続されている、または以前接続されたデバイスの識別を可能にする。たとえば、本開示の非限定的な実施形態または態様は、接続領域内の複数の送信源から複数のデバイスの複数の物理パラメータを受信し、複数のデバイスの複数の物理パラメータに基づいて複数のデバイス間の物理的接続状態を決定する遠隔コンピューティングデバイスおよび／または受信機を提供する。これらの機能は、環境から封止された独立した接続センサの使用を可能にし、介護者のための単純化されたワークフローを創出し、ワークアラウンドの必要および可能性を低減し、感染ベクターとしてのＲＦＩＤスキャナをなくし、投与の経路について増大された詳細を提供し、流体が患者に送達されることになることが可能なすべての進入点を監視し、ならびに／または無線検出のより高い信頼性および特定性を達成する。たとえば、これらの機能は、物理コネクタタイプ、またはコネクタタイプもしくは形状に基づく接続に対する制約に依拠することなく、および／あるいは電気的通信、または接続センサ間のインタラクションに依拠することなく、どのデバイスが相互接続されているか決定することを可能にする。さらに、これらの機能は、接続の複数のセットがすでに確立されている可能性があるとき、どのデバイスが相互接続されているか決定することを可能にする。
【００９７】
図１を参照すると、本明細書に記載のシステム、デバイス、製品、装置、および／または方法が実装されてよい環境１００の非限定的な実施形態または態様が示されている。図１に示されているように、環境１００は、１つまたは複数の接続領域１０２、１つまたは複数の受信機１０４、複数の送信源１０６、ネットワーク１０８、１つまたは複数の遠隔コンピューティングデバイス１１０、および／または複数のデバイス１１２を含んでよい。たとえば、図１に示されている環境１００は、受信機１０４ａおよび送信源１０６ａ、１０６ｂを含む接続領域１０２ａと、受信機１０４ｂ、受信機１０４ｃ、および送信源１０６ｃ、１０６ｄ、１０６ｅを含む接続領域１０２ｂとを含む。送信源１０６ａから送信源１０６ｅは、それぞれ、医療デバイス１１２ａから医療デバイス１１２ｅに接続され、または一体化されてよい。図１に示されている構成要素の数および配置は、一例として提供されている。いくつかの非限定的な実施形態または態様では、環境１００は、図１に示されているものよりも、追加の構成要素、より少ない構成要素、異なる構成要素、または異なるように配置された構成要素を含んでよい。それに加えて、または代替として、構成要素のセット（たとえば、１つまたは複数の構成要素）が、環境１００の構成要素の別のセットによって実施されると記載されている１つまたは複数の機能を実施してもよい。
【００９８】
いくつかの非限定的な実施形態または態様では、接続領域１０２は、１つまたは複数の受信機１０４が１つまたは複数の有線ネットワークおよび／または無線ネットワークを介して送信源１０６と通信するように位置する、および／または構成されている領域または場所を含む。一例では、接続領域１０２ａは受信機１０４ａを含み、接続領域１０２ｂは、接続領域内で互いに離隔された受信機１０４ｂおよび受信機１０４ｃを含む。いくつかの非限定的な実施形態または態様では、接続領域１０２は、１つまたは複数の受信機１０４が送信源１０６から情報を受信することが可能な１つまたは複数のより近距離の無線通信接続（たとえば、ＮＦＣ通信接続、無線周波数識別（ＲＦＩＤ）通信接続、Ｂｌｕｅｔｏｏｔｈ（登録商標）通信接続、および／または同様のもの）の範囲によって画定またはカバーされる領域または場所を含む。たとえば、図１３に示されているように、複数の常設および／または半常設の受信機１０４を患者領域周りで互いに離隔し、たとえば、患者ベッドおよびＩＶポンプなど物体に接続、またはそれと一体化し、その患者領域をカバーする、および／または囲む接続領域１０２を画定することができ、これは、患者領域内の送信源１０６の無線検出の信頼性および特定性を改善することができる。図１３における受信機１０４間の点線は、受信機１０４間の例示的な通信接続を表す。
【００９９】
いくつかの非限定的な実施形態または態様では、受信機１０４は、１つまたは複数の有線ネットワークおよび／または無線ネットワークを介して他の受信機１０４、送信源１０６、および／もしくは遠隔コンピューティングデバイス１１０から情報、データ、および／もしくは信号を受信し、ならびに／またはそれらに情報、データ、および／もしくは信号を送信することが可能な１つまたは複数のデバイスを含む。一例として、受信機１０４は、１つまたは複数のコンピューティングデバイス、サーバ、デスクトップコンピュータ、モバイルデバイス、チップリーダ、非接触トランシーバ、非接触受信機、ＮＦＣ受信機、ＲＦＩＤ受信機、接触ベースの受信機および／または同様のものを含む。いくつかの非限定的な実施形態または態様では、モバイルデバイスは、ネットワーク（たとえば、ネットワーク１０８）を介して１つまたは複数の他の電子デバイスと通信するように構成された１つまたは複数のポータブル電子デバイスを含む。たとえば、モバイルデバイスは、セルラ電話（たとえば、スマートフォンまたは標準的なセルラ電話）、ポータブルコンピュータ（たとえば、タブレットコンピュータ、ラップトップコンピュータなど）、ウェアラブルデバイス（たとえば、腕時計、眼鏡、拡張現実もしくは仮想現実ディスプレイ、ヘッドアップディスプレイ、衣類、および／または同様のもの）、携帯情報端末（ＰＤＡ）、および／または他のデバイスを含むことができる。いくつかの非限定的な実施形態または態様では、受信機１０４は、近距離の無線通信接続（たとえば、ＮＦＣプロトコルを使用する通信接続、無線周波数識別（ＲＦＩＤ）を使用する通信接続、Ｂｌｕｅｔｏｏｔｈ（登録商標）無線技術標準を使用する通信接続、および／または同様のもの）を介して送信源１０６から情報を受信することが可能な１つまたは複数のデバイスを含む。
【０１００】
いくつかの非限定的な実施形態または態様では、受信機１０４は、患者付近に位置することが可能なベッドサイドユニットとして構成される。たとえば、ベッドサイドユニットは、患者の部屋の壁、ＩＶポール、および／または患者もしくはベッドの側部近くで患者のベッドによって定位置（たとえば、マットレス間）に保持されたキャリアに接続されることが可能である。
【０１０１】
ベッドサイドデバイスは、下記の例示のように、可聴警報を有することもできる警報を表示することができる。ベッドサイドユニットは、必要なネットワークインターフェースおよびＲＦＩＤリーダを含むこともできる。
【０１０２】
いくつかの非限定的な実施形態または態様では、送信源１０６は、１つまたは複数の有線ネットワークおよび／または無線ネットワークを介して情報、データ、および／または信号を受信機１０４に送信することが可能な１つまたは複数のデバイスを含む。たとえば、図１に示されているように、送信源１０６ａ、１０６ｂは受信機１０４ａと通信し、送信源１０６ｃ、１０６ｄは受信機１０４ｂと通信し、送信源１０６ｄ、１０６ｅは、受信機１０４ｃと通信する。一例として、送信源１０６は、１つまたは複数のコンピューティングデバイス、チップ、非接触送信機、非接触トランシーバ、ＮＦＣ送信機、ＲＦＩＤ送信機、接触ベースの送信機、および／または同様のものを含む。いくつかの非限定的な実施形態または態様では、送信源１０６は、近距離の無線通信接続（たとえば、ＮＦＣプロトコルを使用する通信接続、無線周波数識別（ＲＦＩＤ）を使用する通信接続、Ｂｌｕｅｔｏｏｔｈ（登録商標）無線技術標準を使用する通信接続、および／または同様のもの）を介して受信機１０４に情報を送信することが可能な１つまたは複数のデバイスを含むことができる。いくつかの非限定的な実施形態または態様では、送信源１０６は、互いに通信するように構成されなくてよい。たとえば、送信源１０６は、受信機１０４とのみ通信するように構成されてよい。
【０１０３】
いくつかの非限定的な実施形態または態様では、遠隔コンピューティングデバイス１１０は、１つまたは複数の有線ネットワークおよび／または無線ネットワークを介して、１つまたは複数の受信機１０４、送信源１０６、および／または他の遠隔コンピューティングデバイス１１０から情報、データ、および／もしくは信号を受信し、ならびに／または情報、データ、および／もしくは信号を送信することが可能な１つまたは複数のデバイス可能を含んでよい。たとえば、遠隔コンピューティングデバイス１１０は、コンピューティングデバイス、サーバ、サーバのグループ、モバイルデバイス、モバイルデバイスのグループ、および／または同様のものを含んでよい。いくつかの非限定的な実施形態または態様では、遠隔コンピューティングデバイス１１０は、１つまたは複数の受信機１０４を含む。たとえば、遠隔コンピューティングデバイス１１０は、遠隔コンピューティングデバイス１１０が近距離の無線通信接続（たとえば、ＮＦＣプロトコルを使用する通信接続、無線周波数識別（ＲＦＩＤ）を使用する通信接続、Ｂｌｕｅｔｏｏｔｈ（登録商標）無線技術標準を使用する通信接続、および／または同様のもの）を介して、送信源１０６から直接情報を受信し、および／または送信源１０６に直接情報を通信することを可能にする受信機１０４を含む。いくつかの非限定的な実施形態または態様では、遠隔コンピューティングデバイス１１０は、受信機１０４から分離され、および／または接続領域１０２から遠隔であってよい。
【０１０４】
いくつかの非限定的な実施形態または態様では、遠隔コンピューティングデバイス１１０は、複数の異なる接続領域１０２内の受信機１０４から情報、データ、および／もしくは信号を受信し、ならびに／または、受信機１０４に情報、データ、および／もしくは信号を送信するように構成される。たとえば、図１に示されているように、受信機１０４ａは、近距離の無線通信接続を介して接続領域１０２ａ内の送信源１０６ａ、１０６ｂと通信し、ネットワーク１０８を介して遠隔コンピューティングデバイス１１０と通信してよい。受信機１０４ｂ、１０４ｃは、接続領域１０２ｂ内で互いに通信してよい。受信機１０４ｂは送信源１０６ｃ、１０６ｄと通信してよく、受信機１０４ｃは、受信機１０４ｂの接続範囲の外側であるが受信機１０４ｃの接続範囲内であることにより依然として接続領域１０２ｂ内にあってよい送信源１０６ｅと通信してよい。受信機１０４ｃは、遠隔コンピューティングデバイス１１０に転送するために、送信源１０６ｅから受信された情報および／もしくはデータを受信機１０４ｂに通信し、またはネットワーク１０８を介して情報および／もしくはデータを直接遠隔コンピューティングデバイス１１０に通信してよい。同じ接続領域１０２内の受信機１０４は、遠隔コンピューティングデバイス１１０にてその接続領域に関連付けられ、ネットワーク１０８を介して、または本明細書に定義されている近距離の通信接続などその接続領域１０２内の１つもしくは複数の直接通信接続を介して互いに通信してよい。
【０１０５】
いくつかの非限定的な実施形態または態様では、遠隔コンピューティングデバイス１１０は、入力情報および／またはデータを手動で受信するように構成される。一例として、より長期の接続（たとえば、複数の対のデバイスがある場合）が同期外れである場合、遠隔コンピューティングデバイス１１０は、デバイスの接続を更新する手動データエントリを受信してよい。たとえば、手動データエントリは、受信機１０４を含むベッドサイドユニットから離れて、たとえば、接続領域１０２の外側で新しいＩＶが開始される場合、行うことができる。遠隔コンピューティングシステムは、接続を自動的に決定することができない場合、介護者がデバイスの接続を手動で更新することができるユーザインターフェースを提供する。一例として、遠隔コンピューティングデバイス１１０は、グラフィカルユーザインターフェースと共にボタンを備える。１つのボタンは、デバイスのタイプ（または薬物、ＩＤ番号など）をグラフィカルに、および／または英数字で示す表示と共に、接続されたデバイスを巡回するように遠隔コンピュータ１１０を制御するように構成される。別のボタンは、ユーザがデバイス対を遠隔コンピュータ１１０に入力することができるグラフィカルユーザインターフェース内で表示されたデバイスを選択するように構成される。
【０１０６】
いくつかの非限定的な実施形態または態様では、ネットワーク１０８は、１つまたは複数の有線ネットワークおよび／または無線ネットワークを含む。たとえば、ネットワーク１０８は、セルラネットワーク（たとえば、ロングタームエボリューション（ＬＴＥ）ネットワーク、第３世代（３Ｇ）ネットワーク、第４世代（４Ｇ）ネットワーク、符号分割多元接続（ＣＤＭＡ）ネットワークなど）、公衆陸上移動ネットワーク（ＰＬＭＮ）、ローカルエリアネットワーク（ＬＡＮ）、ワイドエリアネットワーク（ＷＡＮ）、メトロポリタンエリアネットワーク（ＭＡＮ）、電話ネットワーク（たとえば、公衆交換電話網（ＰＳＴＮ））、プライベートネットワーク（たとえば、トランザクションサービスプロバイダに関連付けられたプライベートネットワーク）、アドホックネットワーク、イントラネット、インターネット、光ファイバベースのネットワーク、クラウドコンピューティングネットワーク、および／もしくは同様のもの、ならびに／またはこれらの、または他のタイプのネットワークの組合せを含んでよい。
【０１０７】
次に図２を参照すると、図２は、デバイス２００の例示的な構成要素の図である。デバイス２００は、受信機１０４、送信源１０６、および／または遠隔コンピューティングデバイス１１０に対応してよい。いくつかの非限定的な実施形態または態様では、受信機１０４、送信源１０６、および／または遠隔コンピューティングデバイス１１０は、少なくとも１つのデバイス２００、および／またはデバイス２００の少なくとも１つの構成要素を含んでよい。図２に示されているように、デバイス２００は、バス２０２、プロセッサ２０４、メモリ２０６、記憶構成要素２０８、入力構成要素２１０、出力構成要素２１２、および／または通信インターフェース２１４を含んでよい。
【０１０８】
バス２０２は、デバイス２００の構成要素の間で通信を可能にする構成要素を含んでよい。いくつかの非限定的な実施形態または態様では、プロセッサ２０４は、ハードウェア、ファームウェア、またはハードウェアとソフトウェアの組合せで実装されてよい。たとえば、プロセッサ２０４は、機能を実施するようにプログラムすることができるプロセッサ（たとえば、中央処理ユニット（ＣＰＵ）、グラフィック処理ユニット（ＧＰＵ）、アクセラレーテッドプロセッシングユニット（ＡＰＵ）など）マイクロプロセッサ、デジタル信号プロセッサ（ＤＳＰ）、および／もしくは任意の処理構成要素（たとえば、フィールドプログラマブルゲートウェイ（ＦＰＧＡ）、特定用途向け集積回路（ＡＳＩＣ）など）、ならびに／または同様のものを含んでよい。メモリ２０６は、ランダムアクセスメモリ（ＲＡＭ）、読出し専用メモリ（ＲＯＭ）、ならびに／またはプロセッサ２０４によって使用するための情報および／もしくは命令を記憶する別のタイプダイナミックまたはスタチック記憶デバイス（たとえば、フラッシュメモリ、磁気メモリ、光メモリなど）を含んでよい。
【０１０９】
記憶構成要素２０８は、デバイス２００の動作および使用に関する情報および／またはソフトウェアを記憶してよい。たとえば、記憶構成要素２０８は、ハードディスク（たとえば、磁気ディスク、光ディスク、光磁気ディスク、ソリッドステートディスクなど）、コンパクトディスク（ＣＤ）、デジタル多用途ディスク（ＤＶＤ）、フロッピディスク、カートリッジ、磁気テープ、および／または対応するドライブと共に別のタイプのコンピュータ可読媒体を含んでよい。
【０１１０】
入力構成要素２１０は、デバイス２００がユーザ入力（たとえば、タッチスクリーンディスプレイ、キーボード、キーパッド、マウス、ボタン、スイッチ、マイクロフォンなど）を介してなど、情報を受信することを可能にする構成要素を含んでよい。それに加えて、または代替として、入力構成要素２１０は、情報を感知するためのセンサ（たとえば、全世界測位システム（ＧＰＳ）構成要素、加速度計、ジャイロスコープ、アクチュエータなど）を含んでよい。出力構成要素２１２は、デバイス２００（たとえば、ディスプレイ、スピーカ、１つまたは複数の発光ダイオード（ＬＥＤ）など）から出力情報を提供する構成要素を含んでよい。
【０１１１】
通信インターフェース２１４は、デバイス２００が有線接続、無線接続、または有線接続と無線接続の組合せを介してなど、他のデバイスと通信することを可能にするトランシーバのような構成要素（たとえば、トランシーバ、別々の受信機および送信源など）を含んでよい。通信インターフェース２１４は、デバイス２００が別のデバイスから情報を受信し、および／または別のデバイスに情報を提供することを可能にしてよい。たとえば、通信インターフェース２１４は、イーサネットインターフェース、光インターフェース、同軸インターフェース、赤外線インターフェース、無線周波数（ＲＦ）インターフェース、ユニバーサルシリアルバス（ＵＳＢ）インターフェース、Ｗｉ−Ｆｉインターフェース、セルラネットワークインターフェース、および／または同様のものを含んでよい。
【０１１２】
デバイス２００は、本明細書に記載の１つまたは複数のプロセスを実施してよい。デバイス２００は、プロセッサ２０４がメモリ２０６および／または記憶構成要素２０８などコンピュータ可読媒体によって記憶されたソフトウェア命令を実行することに基づいて、これらのプロセスを実施してよい。コンピュータ可読媒体（たとえば、非一時的なコンピュータ可読媒体）は、本明細書では、非一時的なメモリデバイスとして定義される。メモリデバイスは、単一の物理記憶デバイス内に位置するメモリ空間、または複数の物理記憶デバイスにわたって広げられたメモリ空間を含む。
【０１１３】
ソフトウェア命令は、別のコンピュータ可読媒体から、または通信インターフェース２１４を介して別のデバイスからメモリ２０６および／または記憶構成要素２０８内に読み込まれてよい。実行されたとき、メモリ２０６および／または記憶構成要素２０８内に記憶されたソフトウェア命令は、本明細書に記載の１つまたは複数のプロセスをプロセッサ２０４に実施させてよい。それに加えて、または代替として、本明細書に記載の１つまたは複数のプロセスを実施するために、ソフトウェア命令の代わりに、またはそれとの組合せで、ハードワイヤード回路が使用されてよい。したがって、本明細書に記載の実施形態または態様は、ハードウェア回路とソフトウェアの特定の組合せに限定されない。
【０１１４】
図２に示されている構成要素の数および配置は、一例として提供されている。いくつかの非限定的な実施形態または態様では、デバイス２００は、図２に示されているものよりも、追加の構成要素、より少ない構成要素、異なる構成要素、または異なるように配置された構成要素を含んでよい。それに加えて、または代替として、デバイス２００の構成要素のセット（たとえば、１つまたは複数の構成要素）が、デバイス２００の構成要素の別のセットによって実施されると記載されている１つまたは複数の機能を実施してよい。
【０１１５】
次に図３を参照すると、図３は、追跡デバイス３００の例示的な構成要素の図である。追跡デバイス３００は送信源１０６として実装されてよく、および／または送信源１０６は、追跡デバイス３００の一部として含まれてよい。たとえば、追跡デバイス３００は、コントローラ３０２、たとえば、ＲＦＩＤチップ、アンテナ３０４、たとえば、ＲＦＩＤアンテナ、および／またはセンサ３０６を備え、これらは、追跡デバイス３００の構成要素を搬送または保持するように構成されたタグまたはキャリア３０８に取り付ける、または一体化することができる。デバイス３００は、医療デバイス１１２など別のデバイスに接続され、および／またはそれと一体化されてよい。たとえば、追跡デバイス３００は、シリンジ、ＩＶスパイク、ＩＶアクセス部位、ＩＶバッグ、ＩＶセット、カテーテル、医療デバイスコネクタ、またはそれらの任意の組合せのうちの少なくとも１つに接続され、および／または一体化されてよい。いくつかの非限定的な実施形態または態様では、追跡デバイス３００は、１つまたは複数の医療デバイスによって形成された流体流路内に位置する。
【０１１６】
いくつかの非限定的な実施形態または態様では、追跡デバイス３００は、受信機１０４からのＲＦ送信を介してなど、無線で送信される電力源を介して電力を受信する。いくつかの非限定的な実施形態または態様では、追跡デバイス３００は、バッテリなど一体化された電力源を含む。
【０１１７】
いくつかの非限定的な実施形態または態様では、センサ３０６は、電気的、光学的、および／または物理的な状態または特性を感知するように構成される。一例として、センサ３０６は、追跡デバイス３００が接続された、および／または一体化された医療デバイス１１２の少なくとも１つの物理パラメータを電気的、光学的、および／または物理的に感知するように構成される。いくつかの非限定的な実施形態または態様では、センサ３０６は圧力センサを含む。たとえば、センサ３０６は、医療デバイス１１２が別の医療デバイス１１２に接続されたとき医療デバイス１１２の接続に加えられた圧力を感知するように構成される。いくつかの非限定的な実施形態または態様では、センサ３０６は、コントローラ３０２の一部として一体化され、および／または含まれる。
【０１１８】
いくつかの非限定的な実施形態または態様では、追跡デバイス３００および／またはセンサ３０６は、医療デバイス１１２の流体進入点または流体退出点に、またはそれらの近くに位置する、または配置される。一例として、追跡デバイス３００および／またはセンサ３０６は、別の医療デバイスの別のコネクタに接続されるように構成された医療デバイス１１２のコネクタに接続され、および／またはそれと一体化され、その結果、医療デバイスのコネクタが別の医療デバイスの別のコネクタに接続された、またはそこから切り離されたとき、別の医療デバイスの別のコネクタは、たとえば、圧力に対する圧力を加える、もしくは除去する、および／または光学センサへの光路の透過率を増大もしくは減少させることによって、センサ３０６をアクティブ化または作動させる。
【０１１９】
いくつかの非限定的な実施形態または態様では、コントローラ３０２は、情報、データ、および／または信号を送信するようにアンテナ３０４を制御するように構成される。一例として、コントローラ３０２は、センサ３０２によって感知された少なくとも１つの物理パラメータに基づいて情報を送信するように構成される。コントローラ３０２は、医療デバイスのタイプを識別する、ならびに／または追跡デバイス３００が接続される、および／もしくは一体化される医療デバイスを一意に識別する識別子、ならびに／または医療デバイスおよび／もしくは医療デバイスが使用されることが意図されている手順に関する他の情報および／もしくはデータを記憶する記憶構成要素を含んでよい。たとえば、コントローラ３０２は、識別子、ならびに／または感知された少なくとも１つの物理パラメータを含む情報および／もしくはデータと共に他の情報および／もしくはデータを送信する。
【０１２０】
いくつかの非限定的な実施形態では、コントローラ３０２は、接続領域に進入したこと（たとえば、受信機１０４からポーリング信号を受信したことに応答して）、接続領域内にある間に受信機１０４からポーリング信号を受信したこと、センサ３０６の作動、センサ３０６によって感知された物理パラメータの変化を決定したこと、またはそれらの任意の組合せのうちの少なくとも１つに応答して、感知された少なくとも１つの物理パラメータを含む情報を送信するようにアンテナ３０４を制御するように構成される。いくつかの非限定的な実施形態または態様では、接続領域に進入したとき受信機１０４によるポーリングに応答しての最初の送信後、コントローラ３０２は、センサ３０６の作動および／またはセンサ３０６によって感知された物理パラメータの変化に応答してのみ、感知された少なくとも１つの物理パラメータを含む情報を送信するようにアンテナ３０４を制御するように構成される。いくつかの非限定的な実施形態または態様では、コントローラ３０２は、追跡デバイス３００が接続領域１０２内にある間連続的に、または追跡デバイス３００が接続領域１０２内にある間周期的な間隔で、感知された少なくとも１つの物理パラメータを含む情報を送信するようにアンテナ３０４を制御するように構成される。
【０１２１】
いくつかの非限定的な実施形態または態様では、コントローラ３０２、アンテナ３０４、および／またはセンサ３０６は、環境から封止される、および／または自己充足型である。たとえば、コントローラ３０２、アンテナ３０４、およびセンサ３０６は、タグまたはキャリア３０８内に封止され、および／またはその中で一体形成される。いくつかの非限定的な実施形態または態様では、コントローラ３０２、アンテナ３０４、センサ３０６、および／またはタグもしくはキャリア３０８は、別のデバイス内に封止され、および／またはその中で一体形成される。たとえば、追跡デバイス３００は、医療デバイス内に封止され、および／またはそれと一体形成される。
【０１２２】
図３に示されている構成要素の数および配置は、一例として提供されている。いくつかの非限定的な実施形態または態様では、追跡デバイス３００は、図３に示されているものよりも、追加の構成要素、より少ない構成要素、異なる構成要素、または異なるように配置された構成要素を含んでよい。それに加えて、または代替として、追跡デバイス３００の構成要素のセット（たとえば、１つまたは複数の構成要素）が、デバイス３００の構成要素の別のセットによって実施されると記載されている１つまたは複数の機能を実施してもよい。
【０１２３】
図４は、図３に示されている追跡デバイス３００に関する一実装４００の非限定的な実施形態または態様の斜視図である。図４に示されているように、追跡デバイス４００は、タグキャリア４０８上に設けられたコントローラ４０２、アンテナ４０４、およびセンサ４０６を含んでよい。いくつかの非限定的な実施形態または態様では、コントローラ４０２は、本明細書に記載のコントローラ３０２と同じまたは同様のものであってよく、アンテナ４０４は、本明細書に記載のアンテナ３０４と同じまたは同様のものであってよく、センサ４０６は、本明細書に記載のセンサ３０６と同じまたは同様のものであってよく、タグまたはキャリア４０８は、本明細書に記載のタグまたはキャリア３０８と同じまたは同様のものであってよい。
【０１２４】
いくつかの非限定的な実施形態または態様では、追跡デバイス４００は、図４に示されているように、医療コネクタ４１０など医療デバイスに接続または接着されるように構成される。たとえば、追跡デバイス４００のタグまたはキャリア４０８は、追跡デバイス４００を医療コネクタ４１０に接続するように構成された、接着剤、および／または押し嵌め接続、スナップ嵌め接続など、機械的コネクタを備えることができる。
【０１２５】
いくつかの非限定的な実施形態または態様では、医療コネクタ４１０は、流体流路の少なくとも一部分を形成し、または形成するように構成され、追跡デバイス４００は、医療コネクタ４１０の流体出口または流体入口にて医療コネクタ４１０に取り付けられる。いくつかの非限定的な実施形態または態様では、アンテナ４０４は、製造および組立てを単純化するために、コントローラ４０２およびセンサ４０６などタグまたはキャリア４０８上の他の構成要素に隣接して位置してよい。しかし、他の幾何形状および接着技術が使用されてよい。たとえば、図４に示されているように、アンテナ４０４を含むタグまたはキャリア４０８は、医療コネクタ４１０のベースの上に適用されるように構成されたリング形状を備えてよく、これは、追跡デバイス４００のサイズを著しく増大することなくより大きなアンテナの使用を可能にすることができる。センサ４０６は、リング形状のタグまたはキャリア４０８内の層、たとえば、アンテナ４０２を備える層の上部の層を備えてよい。いくつかの非限定的な実施形態または態様では、追跡デバイス４００は、ＲＦＩＤアンテナおよび圧力センサを含むＲＦＩＤチップとして実装されることが可能である。
【０１２６】
図５は、図３に示されている追跡デバイス３００に関する非限定的な実施形態または態様の一実装５００の斜視図である。いくつかの非限定的な実施形態または態様では、追跡デバイス５００は、本明細書に記載の追跡デバイス３００と同じまたは同様のものであってよい。いくつかの非限定的な実施形態または態様では、追跡デバイス５００は、別のデバイス内に封止され、および／または別のデバイスの中で一体形成される。たとえば、図５に示されているように、第１の追跡デバイス５００ａは、シリンジ５１０内に封止され、第２の追跡デバイス５００ｂは、ルアーコネクタ５１２内に封止される。
【０１２７】
図６Ａ〜図６Ｅは、図３に示されている追跡デバイス３００に関する一実装６００の非限定的な実施形態または態様の斜視図である。図６Ａ〜図６Ｅに示されているように、追跡デバイス６００は、タグまたはキャリア６０８上に設けられたコントローラ６０２、アンテナ６０４、およびセンサ６０６を含んでよい。いくつかの非限定的な実施形態または態様では、コントローラ６０２は、本明細書に記載のコントローラ３０２と同じまたは同様のものであってよく、アンテナ６０４は、本明細書に記載のアンテナ３０４と同じまたは同様のものであってよく、センサ６０６は、本明細書に記載のセンサ３０６と同じまたは同様のものであってよく、タグまたはキャリア６０８は、本明細書に記載のタグまたはキャリア３０８と同じまたは同様のものであってよい。
【０１２８】
いくつかの非限定的な実施形態または態様では、図６Ａに示されているように、追跡デバイス６００は、羽根部６１０ａ、６１０ｂを含むタグまたはキャリア６０８を備える。一例として、タグまたはキャリア６０８は、タグまたはキャリア６０８をＩＶバッグコネクタ６１４、シリンジ６１６、ＩＶセット６１８のルアー接続、ＩＶバッグアクセススパイク６２０、閉システム移送デバイス６２２などの医療デバイス周りに巻くまたは曲げることができるように、可撓性である。たとえば、羽根部６１０ａ、６１０ｂは、図６Ａに示されているように、接着剤裏紙６１２が除去され、タグまたはキャリア６０８がＩＶバッグコネクタ６１４周りなど医療デバイス周りに巻かれた状態で羽根部６１０ａ、６１０ｂが互いに接続されたとき、追跡デバイス６００が医療デバイスに固定されるように、除去可能な接着剤裏紙６１２を備える。図６Ｂは、ＩＶバッグコネクタ６１４に取り付けられた追跡デバイス６００を示す。図６Ｃは、シリンジ６１６のルアー接続に取り付けられた第１の追跡デバイス６００ａと、シリンジ６１６のルアー接続に接続されることになるＩＶセット６１８のルアー接続に取り付けられた第２の追跡デバイス６００ｂとを示す。一例として、シリンジ６１６のルアー接続は、ＩＶセット６１８のルアー接続に接続された、またはそこから切り離されたとき追跡デバイス６００ｂのセンサをアクティブ化または作動し、ＩＶセット６１８のルアー接続は、シリンジ６１６のルアー接続に接続された、またはそこから切り離されたとき追跡デバイス６００ａのセンサをアクティブ化または作動する。たとえば、追跡デバイス６００ａ、６００ｂは、追跡デバイス６００ａまたは追跡デバイス６００ｂのセンサに対する圧力またはセンサによって受信された光の量が、ＩＶセット６１８およびシリンジ６１６が互いに接続され、および切り離されたとき変化するように、ルアーコネクタの開口または端部に近接して配置され、または位置する。図６Ｄは、ＩＶバッグアクセススパイク６２０に取り付けられた追跡デバイス６００を示す。図６Ｅは、閉システム移送デバイスコネクタ６２２周りに巻かれた追跡デバイス６００を示す。
【０１２９】
図７は、図３に示されている追跡デバイス３００に関する一実装７００の非限定的な実施形態または態様の斜視図である。図７に示されているように、追跡デバイス７００は、タグまたはキャリア７０８上に設けられたコントローラ７０２、アンテナ７０４、およびセンサ７０６を含んでよい。いくつかの非限定的な実施形態または態様では、コントローラ７０２は、本明細書に記載のコントローラ３０２と同じまたは同様のものであってよく、アンテナ７０４は、本明細書に記載のアンテナ３０４と同じまたは同様のものであってよく、センサ７０６は、本明細書に記載のセンサ３０６と同じまたは同様のものであってよく、タグまたはキャリア７０８は、本明細書に記載のタグまたはキャリア３０８と同じまたは同様のものであってよい。
【０１３０】
いくつかの非限定的な実施形態または態様では、図７に示されているように、追跡デバイス７００は、円筒形状を有するスリーブを備える。たとえば、図７に示されているように、タグまたはキャリア７０８は、シリンジ７１０周りに、および／またはシリンジ７１０のルアーコネクタ周りに適用されるように構成される。センサ７０６は、追跡デバイス７００がシリンジ７１０に接続されたときセンサ７０６がシリンジ４１０のルアーコネクタの遠位端に近接して位置するように円筒形状のスリーブの遠位端に位置してよく、その結果、センサ７０６は、シリンジ７１０のルアーコネクタを別の医療デバイスに接続したことに応答して物理的に作動されるように構成される。
【０１３１】
次に図８を参照すると、接続領域内のデバイス接続を識別するためのプロセス８００が示されている。いくつかの非限定的な実施形態または態様では、プロセス８００のステップの１つまたは複数は、１つまたは複数の受信機１０４によって（たとえば、完全に、部分的になど）実施されてよい。いくつかの非限定的な実施形態または態様では、プロセス８００のステップの１つまたは複数は、遠隔コンピューティングデバイス１１０および／または送信源１０６など、１つまたは複数の受信機１０４から分離された、またはそれを含む別のシステム、別のデバイス、システムの別のグループ、またはデバイスの別のグループによって（たとえば、完全に、部分的になど）実施されてよい。いくつかの非限定的な実施形態または態様では、プロセス８００のステップの１つまたは複数は、ユーザインターフェースを提供しクラウドベースのＡＰＩを受信機１０４に送達するクラウドベースのソフトウェアを実行する、タブレットコンピュータなどコンピューティングデバイスであってよい受信機１０４によって（たとえば、完全に、部分的になど）実施されてよい。
【０１３２】
図８に示されているように、プロセス８００は、少なくとも１つのプロセッサで、接続領域内の複数の送信源から複数のデバイスの複数の物理パラメータを受信するステップ８０２を含み、複数の物理パラメータは、複数のデバイスの物理的状態を示す。ステップ８０４では、少なくとも１つのプロセッサが、複数のデバイスの複数の物理パラメータに基づいて複数のデバイス間の少なくとも１つの物理的接続状態を決定する。ステップ８０６では、少なくとも１つのプロセッサが、複数のデバイス間の少なくとも１つの物理的接続状態に基づいて複数のデバイスを監視および／または制御する。
【０１３３】
いくつかの非限定的な実施形態または態様では、デバイスの物理パラメータは、デバイスの物理的状態に従って変化してよい。本明細書に記載のように、デバイスは、シリンジ、ＩＶスパイク、ＩＶアクセス部位、ＩＶバッグ、ＩＶセット、カテーテル、医療デバイスコネクタ、またはそれらの任意の組合せのうちの１つまたは複数など、医療デバイスを含んでよい。いくつかの非限定的な実施形態または態様では、物理パラメータは、デバイスの物理的状態の状態有限集合を示すことができる。たとえば、物理パラメータは、患者および／またはＩＶセットとのカテーテルの接続または切離し状態、ＩＶセットとのシリンジの接続または切離し状態など、デバイスの接続された状態または切り離された状態を示してよい。いくつかの非限定的な実施形態または態様では、物理パラメータは、デバイスの物理的状態の変化の大きさを示すことができる。たとえば、物理パラメータは、たとえば、完全に切り離されたレベルから完全に接続されたレベルまで、デバイスの接続のレベルまたは強さを示してよい。完全に接続されたレベル未満の接続のレベルは、別のデバイスへのデバイスの不正確または不適正な接続を示してよい。たとえば、圧力センサは、シリンジのルアー接続における圧力を物理パラメータとして感知してよく、閾値圧力未満の感知された圧力は、シリンジがＩＶセットなど別のデバイスに完全に接続されていない、または不適正に接続されていることを示してよい。
【０１３４】
いくつかの非限定的な実施形態または態様では、複数の物理パラメータは、複数のイベント時間に関連付けられ、複数のイベント時間は、複数のデバイスの物理的状態の変化の時間を示す。一例として、少なくとも１つの第１のイベント時間は、少なくとも１つの第１のデバイス物理パラメータ（たとえば、第１のデバイスおよび／または第１のデバイスに関連付けられたセンサのアクティブ化）に関連付けられてよく、少なくとも１つの第２のイベント時間は、少なくとも１つの第２のデバイス物理パラメータ（たとえば、第２のデバイスおよび／または第１のデバイスに関連付けられたセンサのアクティブ化）に関連付けられてよい。たとえば、送信源１０６は、物理パラメータの変化に応答して、たとえば、デバイス１１２および／もしくはデバイス１１２に関連付けられた追跡デバイス３００のセンサ３０６のアクティブ化に応答して物理パラメータを自動的に更新および／もしくは送信し、ならびに／または受信機１０４からのポーリングに応答して、更新された物理パラメータを送信する。いくつかの非限定的な実施形態では、送信源１０６は、更新された物理パラメータに関連付けられたイベント時間を送信する。いくつかの非限定的な実施形態では、受信機１０４は、更新された物理パラメータを含む信号が受信された時間に基づいて、更新された物理パラメータに関連付けられたイベントを決定する。
【０１３５】
いくつかの非限定的な実施形態または態様では、複数の物理パラメータは、複数のデバイスの複数の異なる物理的状態を示す。たとえば、第１の物理パラメータは、シリンジのカバーされたルアー接続などデバイスの光学的に感知された物理的状態を示してよく、第２の物理パラメータは、シリンジのルアー接続に対する圧力などデバイスの物理的に感知された物理的状態を示してよい。いくつかの非限定的な実施形態または態様では、物理パラメータは、少なくとも１つのデバイスの複数のコネクタのうちの２つ以上のコネクタ間の少なくとも１つの所定の接続状態を示す情報を含んでよい。たとえば、物理パラメータは、ＩＶセットの接続ポート間の弁の弁開状態または弁閉状態を示してよい。いくつかの非限定的な実施形態または態様では、物理パラメータは、デバイス、デバイスのコネクタ、デバイスのタイプ、またはそれらの任意の組合せを一意に識別するデバイス識別子に関連付けられてよい。たとえば、デバイス識別子は、ＩＶセットのタイプ、そのタイプの他のすべてのＩＶセットからのＩＶセット、ＩＶセットの個々のコネクタもしくは接続、またはそれらの任意の組合せのうちの１つまたは複数を一意に識別してよい。一例として、接続を形成することが物理的に可能でないが、物理パラメータおよび／またはイベント時間に基づいて接続がなされていると決定される場合、デバイス識別子は、接続をさらに特徴付けるために使用することができる。たとえば、接続されていると決定されたデバイスに関連付けられたデバイス識別子を比較することによって、検出またはシステムのエラー状態が発生しており、デバイスが誤用されている、および／またはデバイスの２つ以上の対間で同時接続がなされていると決定することができ、正確なペアリングを決定することができる。
【０１３６】
いくつかの非限定的な実施形態または態様では、複数の物理パラメータのうちの少なくとも１つの物理パラメータは、複数のデバイスのうちの少なくとも１つのデバイスの複数のコネクタの物理的状態を示す複数の接続パラメータを含む。たとえば、複数のデバイスのうちの少なくとも１つのデバイスは、患者、少なくとも１つの第２のデバイス、少なくとも１つの第３のデバイス、少なくとも１つの第２のデバイスの１つもしくは複数のコネクタ、少なくとも１つの第３のデバイスの１つもしくは複数のコネクタ、またはそれらの任意の組合せのうちの少なくとも１つに物理的に接続されるように構成された複数のコネクタを備えてよく、少なくとも１つの物理パラメータは、少なくとも１つのデバイスの複数のコネクタの物理的状態を示す複数の接続パラメータを含んでよい。たとえば、ＩＶセットは、流路の第１の端部における第１のコネクタと、流路の第２の端部における第２のコネクタとを含んでよく、第１のコネクタの物理的状態は、第１のセンサによって感知された第１の物理パラメータによって示され、第２のコネクタの物理的状態は、第２のセンサによって感知された第２の物理パラメータによって示される。
【０１３７】
次に図９を参照すると、接続領域内のデバイス接続を識別するためのプロセス９００が示されている。いくつかの非限定的な実施形態または態様では、プロセス９００のステップの１つまたは複数は、１つまたは複数の送信源１０６および／または追跡デバイス３００によって（たとえば、完全に、部分的になど）実施されてよい。いくつかの非限定的な実施形態または態様では、プロセス９００のステップの１つまたは複数は、遠隔コンピューティングデバイス１１０および／または１つまたは複数の受信機１０４など、１つまたは複数の送信源１０６および／または追跡デバイス３００から分離された、またはそれを含む別のシステム、別のデバイス、システムの別のグループ、またはデバイスの別のグループによって（たとえば、完全に、部分的になど）実施されてよい。
【０１３８】
図９に示されているように、プロセス９００は、複数のデバイス上の複数のセンサで、複数の物理パラメータを決定するために、複数のデバイスの物理的状態を感知するステップ９０２を含む。たとえば、少なくとも１つの第１のデバイス上の少なくとも１つの第１のセンサは、少なくとも１つの第１のデバイスの少なくとも１つの第１の物理パラメータを決定するために、少なくとも１つの第１のデバイスの少なくとも１つの物理的状態を感知してよく、少なくとも１つの第２のデバイス上の少なくとも１つの第２のセンサは、少なくとも１つの第２のデバイスの少なくとも１つの第２の物理パラメータを決定するために、少なくとも１つの第２のデバイスの少なくとも１つの物理的状態を感知してよい。ステップ９０４では、複数のデバイス上の複数の送信源は、複数の物理パラメータを送信する。たとえば、少なくとも１つの第１のデバイス上の少なくとも１つの第１の送信源は、少なくとも１つの第１のデバイスの少なくとも１つの第１の物理パラメータを送信してよく、少なくとも１つの第２のデバイス上の少なくとも１つの第２の送信源は、少なくとも１つの第２のデバイスの少なくとも１つの第２の物理パラメータを送信してよい。
【０１３９】
いくつかの非限定的な実施形態または態様では、送信源１０６は、接続領域に進入したことに応答して、ポーリング信号を受信したことに応答して、および／または送信源１０６に関連付けられたデバイスの物理的状態の変化に応答して、物理パラメータを送信する。一例として、少なくとも１つの第１の送信源は、接続領域に進入したことに応答して少なくとも１つの第１の物理パラメータを送信してよく、少なくとも１つの第２の送信源は、接続領域に進入したことに応答して少なくとも１つの第２の物理パラメータを送信してよい。一例として、ＲＦＩＤ送信源は、接続領域に進入したとき、たとえば、ＲＦＩＤリーダによってポーリングされたことに応答して、物理パラメータを自動的に送信してよい。ＲＦＩＤ送信源は、接続領域内にある間、物理パラメータを連続的に送信し、接続領域内にある間、周期的な間隔で物理パラメータを送信し、および／または接続領域に進入したときＲＦＩＤリーダによるポーリングに応答しての最初の送信後、ＲＦＩＤ送信源のセンサの作動に応答してのみ、物理パラメータを送信してよい。いくつかの非限定的な実施形態または態様では、少なくとも１つの第１の送信源は、少なくとも１つの第１のセンサが少なくとも１つの第１のデバイスの少なくとも１つの物理的状態の変化を感知したことに応答して、少なくとも１つの第１の物理パラメータを送信してよく、少なくとも１つの第２の送信源は、少なくとも１つの第２のセンサが少なくとも第２の第１のデバイスの少なくとも１つの物理的状態の変化を感知したことに応答して、少なくとも１つの第２の物理パラメータを送信してよい。たとえば、送信源１０６は、送信源１０６を実装する追跡デバイス３００のセンサ３０６が送信源１０６に関連付けられたデバイスの物理的状態の変化を感知したことに応答して、物理パラメータを送信する。
【０１４０】
次に図１０を参照すると、接続領域内のデバイス接続を識別するためのプロセス１０００が示されている。いくつかの非限定的な実施形態または態様では、プロセス１０００のステップの１つまたは複数は、１つまたは複数の受信機１０４によって（たとえば、完全に、部分的になど）実施されてよい。いくつかの非限定的な実施形態または態様では、プロセス１０００のステップの１つまたは複数は、遠隔コンピューティングデバイス１１０および／または送信源１０６など、１つまたは複数の受信機１０４から分離された、またはそれを含む別のシステム、別のデバイス、システムの別のグループ、またはデバイスの別のグループによって（たとえば、完全に、部分的になど）実施されてよい。いくつかの非限定的な実施形態または態様では、プロセス１０００のステップの１つまたは複数は、ユーザインターフェースを提供しクラウドベースのＡＰＩを受信機１０４送達するクラウドベースのソフトウェアを実行する、タブレットコンピュータなどコンピューティングデバイスであってよい受信機１０４によって（たとえば、完全に、部分的になど）実施されてよい。
【０１４１】
図１０に示されているように、プロセス１０００は、少なくとも１つのプロセッサで、接続領域に関連付けられたデバイスイベントを決定するステップ１００２を含む。ステップ１００４では、少なくとも１つのプロセッサがデバイスイベント効果を決定する。ステップ１００６では、少なくとも１つのプロセッサがデバイスイベントの決定された効果に基づいてデバイスレジスタを更新する。
【０１４２】
いくつかの非限定的な実施形態または態様では、デバイスレジスタは、接続領域内の、本明細書ではノードとも称されるデバイスのリストを含む。リスト内のデバイスは、デバイス識別子によって識別され、デバイス識別子は、デバイスに関連付けられた物理パラメータ、物理パラメータに関連付けられたイベント時間、ならびに／またはデバイス間の接続および／もしくは切離しのインジケーションに関連付けて記憶される。デバイスレジスタ内の情報は、接続領域内の物理デバイスのコンピュータベースの論理分岐構造を構築または生成するために使用することができる。一例として、論理分岐構造は、接続領域内の物理分岐構造にマッピングされ、物理デバイス構造内への進入点に対応するノードを含む。たとえば、流体流路を含む物理ＩＶ分岐構造のための物理分岐構造の論理分岐構造は、流体流路への進入点における、たとえば、流体入力および流体出力におけるノードを含む。論理分岐構造は、たとえば、カテーテルのノード／端部間の所定のデバイス関連付けもしくは接続、および／または、たとえば、シリンジと、接続領域内で接続されたカテーテルのノード／端部との間の検出されたデバイス関連付けもしくは接続を含んでよい。
【０１４３】
いくつかの非限定的な実施形態または態様では、ステップ１００２は、デバイス識別子、および／または複数のデバイスのうちの少なくとも１つのデバイスに関連付けられた少なくとも１つの物理パラメータを受信することを含む。たとえば、受信機１０４は、少なくとも１つのデバイスに関連付けられた少なくとも１つの物理パラメータおよびデバイス識別子を含む信号を受信したことに応答して、デバイスイベントを決定する。ステップ１００４は、複数のデバイスのうちの少なくとも１つのデバイスが接続領域内にあると決定することを含んでよい。一例として、受信機１０４は、デバイス識別子に関連付けられたデバイスがすでに登録されているか、または接続領域に進入した新しいデバイスであるかどうか決定するために、デバイスのデバイス識別子を、接続領域内のデバイスのリストを含む現在のデバイスレジスタと比較する。ステップ１００６は、接続領域内のデバイスのリストを含むデバイスレジスタを、少なくとも１つのデバイスの少なくとも１つの物理パラメータに関連付けてデバイス識別子で更新すること、および／または、更新されたデバイスレジスタを少なくとも１つの遠隔コンピューティングシステムにレポートすることを含んでよい。デバイス識別子は、少なくとも１つのデバイスに関連付けられた、および／またはデバイス識別子に関連付けられた信号内で受信された任意の他の情報またはデータ、たとえば、送信源から受信された、もしくはそれに関連付けられた情報もしくはデータ、接続領域、患者の患者識別子、医薬品の医薬品識別子、またはそれらの任意の組合せに関連付けられてデバイスレジスタ内に記憶されることが可能である。
【０１４４】
いくつかの非限定的な実施形態または態様では、ステップ１００２は、接続領域をポーリングすること、およびポーリングに対する応答を決定することを含む。一例として、受信機１０４は、接続領域１０２をポーリングするし、ポーリングに応答してデバイスイベントを決定する。たとえば、受信機は、接続領域内に現在あるデバイスに関連付けられた送信源１０６から応答を受信し、しかし受信機１０４は、ポーリング中、接続領域の外側の送信源１０６から応答を受信しない。ステップ１００４は、ポーリングに対する応答に基づいて、接続領域内に現在あるデバイスの更新されたリストを決定することを含んでよい。たとえば、少なくとも１つのデバイスが、デバイスレジスタ内にリストされているが所定のポーリング期間内にポーリングに対して応答しない場合、受信機１０４は、少なくとも１つのデバイスがもはや接続領域内にないと決定する。ステップ１００６は、少なくとも１つのデバイスのデバイス識別子をデバイスレジスタから除去するためにデバイスレジスタを更新すること、本明細書において下記により詳細に記載されているように、デバイスレジスタ内の少なくとも１つのデバイスに接続されたとして識別されたデバイスの接続を更新し、および／または更新されたデバイスレジスタを少なくとも１つの遠隔コンピューティングシステムにレポートすることを含んでよい。
【０１４５】
いくつかの非限定的な実施形態または態様では、ステップ１００２は、複数のイベント時間（たとえば、対応するセンサによって感知された物理パラメータの変化に関連付けられたタイムスタンプ、および／または対応する送信源による物理パラメータの送信に関連付けられたタイムスタンプ）に関連付けて複数の物理パラメータを受信すること、および／または複数の物理パラメータが受信されたとき（たとえば、受信機による物理パラメータの受信に関連付けられたタイムスタンプ）、複数の物理パラメータをイベント時間に関連付けることを含む。一例として、複数の物理パラメータは複数のイベント時間に関連付けられ、複数のイベント時間は、複数のデバイスの物理的状態の変化の時間を示す。たとえば、シリンジに接続された本明細書に記載の追跡デバイス３００は、シリンジがＩＶコネクタ（たとえば、雌ルアー）に接続されたときアクティブ化し、これは、シリンジ追跡デバイス３００に信号を受信機１０４へ送信させる。同様に、ＩＶコネクタに接続された本明細書に記載の追跡デバイス３００は、ＩＶコネクタがシリンジ（たとえば、雄ルアー）に接続されたときアクティブ化し、これは、ＩＶコネクタ追跡デバイス３００に信号を受信機１０４へ送信させる。受信機１０４は、イベント時間に関連付けて物理パラメータを含む信号を受信したことに応答してデバイスイベントを決定してよい。
【０１４６】
いくつかの非限定的な実施形態では、ステップ１００４において、複数のデバイス間の少なくとも１つの物理的接続状態が、複数のイベント時間に少なくとも部分的に基づいて決定される。一例として、少なくとも１つのプロセッサは、複数のイベント時間がスライディングタイムウィンドウ内にあるかどうか決定する。たとえば、２つ以上のデバイスイベントが所定の時間間隔内に互換デバイス（たとえば、デバイス識別子によって示される互換性）で起こったとき、これらの２つ以上のデバイスの接続を決定することができる。受信機１０４および／または遠隔コンピューティングデバイス１１０は、２つ以上のイベントがスライディングタイムウィンドウ内で起こったかどうか決定することができる。一例として、少なくとも１つの第１のデバイス物理パラメータに関連付けられた少なくとも１つの第１のイベント時間、および少なくとも１つの第２のデバイス物理パラメータに関連付けられた少なくとも１つの第２のイベント時間が受信され少なくとも１つの接続状態が、少なくとも１つの第１のイベント時間および少なくとも１つの第２のイベント時間に基づいて決定される。たとえば、少なくとも１つの第１のイベント時間および少なくとも１つの第２のイベント時間がそれぞれ、互いに所定の時間、たとえば、２秒以内に発生した場合、受信機１０４および／または遠隔コンピューティングデバイス１１０は、少なくとも１つの第１のイベント時間および少なくとも１つの第２のイベント時間に関連付けられた２つ以上のデバイスが互いに関連付けられていると決定する。
【０１４７】
いくつかの非限定的な実施形態または態様では、複数のデバイス間の少なくとも１つの接続状態は、複数のデバイスの少なくとも１つの事前定義された互換性に少なくとも部分的に基づいて決定される。一例として、２つ以上のデバイスのためのデバイス識別子がスライディングタイムウィンドウ内で受信されたとき、受信機１０４および／または遠隔コンピューティングデバイス１１０は、それらのデバイス識別子に基づいて、それらの２つ以上のデバイスが互いに互換であるかどうか決定する。たとえば、受信機１０４および／または遠隔コンピューティングデバイス１１０は、許容可能な状態およびデバイス識別子に関連付けられたデバイスのための接続のルックアップを調べることができる。２つ以上のデバイスが非互換であると決定された場合、受信機１０４および／または遠隔コンピューティングデバイス１１０は、互いに関連付けられた２つ以上のデバイスが誤用されているという警告を発行することができる。２つ以上のデバイスが互換であると決定された場合、受信機１０４および／または遠隔コンピューティングデバイス１１０は、２つのデバイス間の接続を決定し、デバイスのデバイス識別子、接続の時間、および／またはデバイスの物理パラメータに関連付けて接続のインジケーションを含むようにデバイスレジスタを更新することができる。
【０１４８】
いくつかの非限定的な実施形態または態様では、複数の物理パラメータは、複数の物理デバイスの接続状態を示す情報またはデータを含む。たとえば、物理パラメータは、接続された状態、切り離された状態、あるいは／またはデバイスおよび／もしくはデバイスのノードもしくはコネクタの接続のレベルを示すことができる。少なくとも１つの第１のイベント時間および少なくとも１つの第２のイベント時間に関連付けられた物理パラメータが、接続された状態を示す場合、受信機１０４および／または遠隔コンピューティングデバイス１１０は、それらのデバイスが今接続されていると決定し、デバイスレジスタを更新する。少なくとも１つの第１のイベント時間および少なくとも１つの第２のイベント時間に関連付けられた物理パラメータが、切り離された状態を示す場合、受信機１０４および／または遠隔コンピューティングデバイス１１０は、それらのデバイスが今切り離されていると決定する。
【０１４９】
本明細書では、接続／切離しの様々な状態の検出に加えて、システムは、流体路の準備および／または維持を監視するために使用することもできることに留意されたい。たとえば、捕らえることができる他のイベントは、システムの構成要素の消毒、システムの構成要素のキャップ装着／キャップ取外し、およびシステム内に、またはその外に構成要素を置くことを監視すること（カテーテル固定デバイスを置くことを監視することなど）を含む。本明細書では、システムは、抗菌剤でのＩＶ部位の準備など追加の消毒プロセスを検出することができることも企図されている。
【０１５０】
少なくとも１つの第１のイベント時間および少なくとも１つの第２のイベント時間に関連付けられた物理パラメータが不整合状態（たとえば、切り離された状態および接続された状態）、および／または閾値接続レベルより低い接続のレベルを示す場合、受信機１０４および／または遠隔コンピューティングデバイス１１０は、エラー状態を決定し、エラー状態に基づいて警告を提供する。一例として、受信機１０４および／または遠隔コンピューティングデバイス１１０は、スライディングタイムウィンドウ内のデバイスイベントを有する２つ以上のデバイスのデバイス識別子を、デバイスレジスタに比較し、それらのデバイスが現在関連付けられている、または接続されているかどうか決定する。それらのデバイスが現在接続されている場合、受信機１０４および／または遠隔コンピューティングデバイス１１０は、互いに所定の時間内で発生する少なくとも１つの第１のイベント時間および少なくとも１つの第２のイベント時間に基づいて、それらのデバイスが今切り離されていると決定する。それらのデバイスがデバイスレジスタ内で現在接続されていない場合、受信機１０４および／または遠隔コンピューティングデバイス１１０は、それらのデバイスが今、互いに関連付けられている、および／または接続されていると決定する。いくつかの非限定的な実施形態または態様では、受信機は、２つ以上のデバイスの切離しが許される切離しであるかどうか（たとえば、許容可能な状態およびデバイス識別子に関連付けられた接続のルックアップテーブルを調べることによって）決定する。たとえば、デバイスレジスタ内に接続されているとして記憶されている２つ以上のデバイスのための物理パラメータが受信され、異なる状態、たとえば、接続された状態および切り離された状態を示す場合、受信機１４は、エラー状態を決定し、検出もしくはシステムエラー状態が発生したこと、および／または２つの医療デバイスが誤用されていることを示す警告を出力する。さらに、システムは、カテーテル、ＩＶセット、および／または患者などシステム構成要素に伴う問題を検出する他のセンサからのデータを送ることができる。システムは、医療従事者にエラーまたは他の臨床問題についての警告、システムアナリティクス、およびシステムからのデータに基づくワークフローを提供することができる。
【０１５１】
いくつかの非限定的な実施形態または態様では、接続領域に関連付けられた受信機１０４および／または遠隔コンピューティングデバイス１１０は、隣の患者のデバイス（たとえば、他の接続領域内のデバイス）に関連付けられた送信源からの信号をフィルタリングまたは拒絶することができる。ＲＦ信号伝搬の複雑さにより、他の接続領域内で発生するデバイスイベントが不適正に検出されることがある。一例として、受信機１０４および／または遠隔コンピューティングデバイス１１０は、送信源から受信された信号のデバイス識別子を別の接続領域のためのデバイスレジスタに比較し、送信源および／または送信源に関連付けられた医療デバイスが他の接続領域内に登録されている、および／または他の接続領域内の別のデバイスに関連付けられている、もしくは接続されているかどうか決定することができる。デバイスが他の接続領域内にすでに登録されている、および／または接続されている場合、受信機１０４および／または遠隔コンピューティングデバイス１１０は、受信機１０４に関連付けられた接続領域内のデバイスの登録を拒絶することができる。いくつかの非限定的な実施形態または態様では、接続領域は、許容可能なデバイスの事前定義されたリストに関連付けられ、受信機１０４および／または遠隔コンピューティングデバイス１１０は、送信源から受信された信号のデバイス識別子を許容可能なデバイスのリストに比較し、送信源および／または送信源に関連付けられた医療デバイスをその接続領域内に登録する、および／またはその接続領域内の別のデバイスに接続することができるかどうか決定する。
【０１５２】
図８を再度参照すると、いくつかの非限定的な実施形態または態様では、ステップ８０６は、複数のデバイス間の少なくとも１つの物理的接続状態に少なくとも部分的に基づいて、複数のデバイスのうちの少なくとも１つのデバイスを含む流体流路の流体の流れを制御することを含む。たとえば、送信源が物理的な流体流路に対してどこに位置するかを含めて、医療デバイスの物理構造、および医療デバイス間の接続を含むデバイスレジスタを使用することにより、流体流路の木構造（たとえば、ＩＶシステム）、たとえば、論理分岐構造が確立される。受信機１０４および／または遠隔コンピューティングデバイス１１０は、流体が患者に送達されることを可能にする流体流路への各進入点を監視する。たとえば、追跡デバイス３００のセンサ３０６、または流体流路に関連付けられた感知されたデータを受信機１０４および／または遠隔コンピューティングデバイス１１０に通信するように構成された別個のセンサであってよい各進入点におけるセンサ、ならびに受信機１０４および／または遠隔コンピューティングデバイス１１０は、感知されたデータに基づいて、たとえば、流体流路内のデバイスが切り離されたことを感知されたデータが示していることに応答して、警告を発行し、ならびに／または、たとえば、１つもしくは複数の電子制御弁を使用して、流体流を停止する、および／もしくは流体流を調整するように、流体流路内の１つまたは複数のデバイスを制御する。
【０１５３】
いくつかの非限定的な実施形態または態様では、ステップ８０６は、患者に関連付けられた患者識別子を受信すること、流体流路を介して患者に送達されることになる医薬品の医薬品識別子を受信すること、患者識別子および医薬品識別子を流体流路の少なくとも１つのデバイスに関連付けること、ならびに患者識別子および医薬品識別子に少なくとも部分的に基づいて流体流路内の流体の流れを制御することを含む。一例として、追跡デバイス３００のセンサ３０６、または流体流路に関連付けられた感知されたデータを受信機１０４および／もしくは遠隔コンピューティングデバイス１１０に通信するように構成された別個のセンサであってよい流体流路への各進入点におけるセンサは、進入点における接続状態、流体流路内の、および／もしくは進入点における流体の体積、流体流路内の、および／もしくは進入点における流体もしくは医薬品のタイプ、流体流路内の、および／もしくは進入点における流体の流量、またはそれらの任意の組合せのうちの少なくとも１つを決定するように構成される。たとえば、受信機１０４および／または遠隔コンピューティングデバイス１１０は、医薬品投与の誤りを低減するために、感知されたデータに基づいて決定された医薬品、医薬品投与量、医薬品送達経路、および／または医薬品送達時間を、患者識別子および／もしくは医薬品識別子に関連付けられた承認済みの患者、承認済みの医薬品、承認済みの医薬品投与量、承認済みの医薬品送達経路、ならびに／または承認済みの医薬品送達時間に比較する。受信機１０４および／または遠隔コンピューティングデバイス１１０は、感知されたデータ、患者識別子、および／または医薬品識別子に基づいて、警告を発行し、ならびに／または流体流を停止する、および／もしくは流体流を調整するように流路内の１つまたは複数のデバイスを制御することができる。たとえば、流体流路内の進入点において感知された医薬品が患者にとって不適正な医薬品、患者および／もしくは医薬品にとって不適正な投与量、患者および／もしくは医薬品にとって不適正な医薬品送達経路（たとえば、流体流路への不適正な進入点）、ならびに／または患者および／もしくは医薬品にとって不適正な医薬品送達時間であると決定された場合、受信機１０４および／または遠隔コンピューティングデバイス１１０は、警告を発行し、および／または流体流を停止するように流路内の１つまたは複数のデバイスを制御することができる。
【０１５４】
いくつかの非限定的な実施形態または態様では、ステップ８０６は、少なくとも１つのプロセッサで、複数のデバイス間の少なくとも１つの物理的接続状態に少なくとも部分的に基づいて複数のデバイスのうちの少なくとも１つのデバイスを含む流体流路のデジタル表現を生成すること、および少なくとも１つのプロセッサで、流体流路の表現に少なくとも部分的に基づいて流体流路内の流体の流れを監視することを含む。一例として、少なくとも１つのプロセッサは、接続領域内で可聴および／または可視のインジケーションを出力するように聴覚および／または視覚的出力デバイスを制御することができ、可聴および／または可視のインジケーションは、流体流路の状況を示す。たとえば、受信機１０４および／または遠隔コンピューティングデバイス１１０は、接続領域内の物理ＩＶ分岐構造にマッピングされ、接続領域内の物理ＩＶ分岐構造の各医療デバイスのための一意のノード識別子、医療デバイスによって形成される流体流路への各コネクタもしくは進入／退出点、および／または流体流路に影響を及ぼすことができる作用に関連付けられた医療デバイスの各要素（たとえば、医療デバイス内の弁）を含む論理ＩＶ分岐構造を生成することができる。論理ＩＶ分岐構造は、接続領域内で接続されているノード、ならびに／または同じ医療デバイスに関連付けられたノードおよび／もしくは互いにすでに接続されている接続領域に進入する接続領域外側で接続されているノードなど所定のノード接続とすることができるノード間の接続を含む。論理ＩＶ分岐構造にマッピングされた例示的な物理ＩＶ分岐構造が、本明細書では、図１２を参照して下記に詳細に記載されている。
【０１５５】
図１１Ａは、図８〜図１０に示されているプロセス８００、９００、１０００に関する一実装１１００の非限定的な実施形態または態様の概要の図である。図１１Ａに示されているように、実装１１００は、接続領域１１０２、受信機１１０４、医療デバイス１１２０に関連付けられた送信源１１０６、ネットワーク１１０８、および／または遠隔コンピューティングデバイス１１１０を含んでよい。いくつかの非限定的な実施形態または態様では、接続領域１１０２は、本明細書において上記の接続領域１０２と同じまたは同様のものであってよく、受信機１１０４は、本明細書において上記の受信機１０４と同じまたは同様のものであってよく、送信源１１０６は、本明細書において上記の送信源１０６および／または追跡デバイス３００と同じまたは同様のものであってよく、ネットワーク１１０８は、本明細書において上記のネットワーク１０８と同じまたは同様のものであってよく、遠隔コンピューティングデバイス１１１０は、本明細書において上記の遠隔コンピューティングデバイス１１０と同じまたは同様のものであってよい。
【０１５６】
実装１１００は、図１１Ａにおける符号によって参照されている１つまたは複数の機能を実施する受信機１１０４に主に関して記載されているが、それに加えて、または代替として、遠隔コンピューティングデバイス１１１０など遠隔システムもしくはサーバ、または図１３に示されている実装１３００の受信機構成など受信機１１０４と通信する１つまたは複数の他の受信機、あるいは受信機１１０４がクラウドベースのサーバと通信するタブレットコンピュータなどユーザデバイスを含むクラウドベースの受信機のクラウドベースのサーバが、図１１Ａにおける符号によって参照されている１つまたは複数の機能を実施してもよいことに留意されたい。
【０１５７】
図１１Ｂは、実装１１００のデバイスの図である。図１１Ｂに示されているように、実装１１００は、ＩＶカテーテル１１２２、ＩＶセット１１２４、第１の薬物シリンジ１１２６、第２の薬物シリンジ１１２８、およびフラッシュシリンジ１１３０を含む医療デバイス１１２０を含む。各医療デバイス１１２０は、流体接続をなすことができる各ノード、たとえば、各流体入口および各流体出口に、送信デバイス１１０６たとえば、図３に示されている追跡デバイス３００を有し、各追跡デバイスまたはノードは、一意のデバイス識別子またはノード識別子に関連付けられる。各ノードにおける追跡デバイスは、本明細書では、図１１Ｂにおける追跡デバイスの対応するノード識別子に関連付けられたものと同じ符号と共に参照される。たとえば、ＩＶカテーテル１１２２は、ノード識別子１８８、１８９に関連付けられた追跡デバイスを含み、ＩＶセット１１２４は、ノード識別子１４３、１４４に関連付けられた追跡デバイスを含み、第１の薬物シリンジ１１２６は、ノード識別子１６４に関連付けられた追跡デバイスを含み、第２の薬物シリンジ１１２８は、ノード識別子１９３に関連付けられた追跡デバイスを含み、フラッシュシリンジ１１３０は、ノード識別子１２０に関連付けられた追跡デバイスを含む。追跡デバイスまたはノード１８８、１８９、１４３、１４４、１６４、１９３、１２０は、医療デバイス１１２０の流体進入点および流体退出点に位置する。
【０１５８】
図１１Ｃは、実装１１００の例示的なデータの表である。図１１Ｃは、時間が進むにつれて、接続領域１１０２に関連付けられた受信機１１０４および／または遠隔コンピューティングデバイス１１１０から受信され、それらによって処理されたデータで埋められた例示的なデバイスレジスタデータベースを示す。１間隔あたり任意の秒数とすることができる時間インデックスが、実時間時計上の時間範囲にマッピングされている。デバイスレジスタは、デバイスの物理パラメータに関連付けて接続領域１１０２内のデバイスをリストしたものである。一致論理が、いつデバイスノードが互いに関連付けられているかを示す（たとえば、ｘ＋ｙは、デバイスノードｘとデバイスノードｙの関連付けを示し、ｘ−ｙは、デバイスノードｘとデバイスノードｙの無関連を示す）。
【０１５９】
次に図１１Ａ〜図１１Ｃを参照すると、図１１Ａにおいて符号１１５０によって示されているように、医療デバイス１１２０が接続領域１１０２に進入する。たとえば、図１１Ｃにおける時間インデックス２０３５では、接続領域１１０２内の医療デバイスはなく、たとえば、デバイスレジスタ内にリストされた医療デバイス１１２０はない。時間インデックス２０３６では、カテーテル１１２２が接続領域に進入する。受信機１１０４は、たとえば、ノード識別子１８８、１８９および各ノード識別子に関連付けられた物理パラメータを含む受信機１１０４からのポーリングに応答するノード識別子１８８、１８９に関連付けられた追跡デバイスからの信号を受信し、非アクティブ状態に関連付けて、デバイスレジスタをノード識別子１８８、１８９で更新する。たとえば、実装１１００では、物理パラメータは、物理パラメータに関連付けられたノード識別子がアクティブ状態、たとえば、データビット１、および非アクティブ状態、たとえば、データビット０のうちの１つにあることを示す。ノード識別子１８８、１８９は、受信された物理パラメータに基づいて登録されているデバイス内で、受信機１１０４によって非アクティブ状態０に関連付けられる。
【０１６０】
時間インデックス２０３８では、カテーテル１１２２が置かれる、または展開される。たとえば、ノード識別子１８９に関連付けられたカテーテル１１２２のカニューレが患者に挿入される。ノード識別子１８９に関連付けられた追跡デバイスのセンサが、カテーテルの展開に応答してアクティブ化され、これにより、ノード識別子１８９に関連付けられた追跡デバイスは、ノード１８９のアクティブ状態を示す物理パラメータに関連付けられたノード識別子１８９を含む信号を送信する。受信機１１０４は、信号を受信し、スライディングタイムウィンドウ内、たとえば、ノード識別子１８９に関連付けられた信号の受信の２秒以内にアクティブ状態の物理パラメータを有する他のノード識別子が受信されなかったと決定し、ノード識別子１８９に関連付けられたアクティブ状態の物理パラメータが、ノード識別子１８９が別のノード識別子に関連付けられない状態で、ノード識別子１８９について許されると（たとえば、許容可能な状態およびノード識別子／デバイスについての接続のルックアップテーブルを調べることによって）決定し、アクティブ状態１に関連付けられたノード識別子１８９、および非アクティブ状態０に関連付けられたノード識別子１８８を含むようにデバイスレジスタを更新する。
【０１６１】
時間インデックス２０４０では、ノード識別子１４３、１４４に関連付けられた追跡デバイスを含むＩＶセット１１２４が接続領域１１０２に進入し、ノード識別１４３、１４４は、たとえば、符号１１５０に関して本明細書において上記のものと同様に、非アクティブ状態０に関連付けてデバイスレジスタに追加される。
【０１６２】
図１１Ａにおける符号１１５２によって示されているように、医療デバイス１１２０は、接続領域１１０２内の別の医療デバイス１１２０に接続される。たとえば、時間インデックス２０４１では、ＩＶセット１１２４がカテーテル１１２２に接続される。たとえば、ノード識別子１８８に関連付けられたカテーテル１１２２のコネクタが、ノード識別子１４４に関連付けられたＩＶセット１１２４のコネクタに接続される。ノード識別子１８８、１４４に関連付けられた追跡デバイスのセンサは、接続に応答してアクティブ化され、たとえば、接続デバイスのコネクタによって追跡デバイスの圧力センサに圧力が加えられ、これにより、ノード識別子１８８、１４４に関連付けられた追跡デバイスは、ノード１８８のアクティブ状態１を示す物理パラメータに関連付けられたノード識別子１８８を含む信号、およびノード１４４のアクティブ状態１を示す物理パラメータに関連付けられたノード識別子１４４を含む信号をそれぞれ送信する。受信機１１０４は、これらの信号を受信し、これらの信号がスライディングタイムウィンドウ内、たとえば、互いに２秒以内に生成、送信、および／または受信されたと決定し、ノード識別子１８８、１４４の接続が許される接続であると（たとえば、許容可能な状態およびノード識別子／デバイスについての接続のルックアップテーブルを調べることによって）決定し、アクティブ状態１に関連付けられたノード識別子１８８、およびアクティブ状態１に関連付けられたノード識別子１４４を含むように、またノード１８８およびノード１４４が互いに接続されているというインジケーション、たとえば、一致論理１８８＋１４４を含むようにデバイスレジスタを更新する。
【０１６３】
時間インデックス２０４６では、ノード識別子１６４に関連付けられた追跡デバイスを含む第１の薬物シリンジ１１２６が接続領域１１０２に進入し、ノード識別子１６４は、たとえば、符号１１５０に関して本明細書において上記のものと同様に、非アクティブ状態０に関連付けてデバイスレジスタに追加される。
【０１６４】
時間インデックス２０４８では、ＩＶセット１１２４が第１の薬物シリンジ１１２６に接続される。たとえば、ノード識別子１４３に関連付けられたＩＶセット１１２４のコネクタが、ノード識別子１６４に関連付けられた第１の薬物シリンジ１１２６のコネクタに接続される。ノード識別子１４３、１６４に関連付けられた追跡デバイスのセンサは、接続に応答してアクティブ化され、これにより、ノード識別子１４３、１６４に関連付けられた追跡デバイスは、ノード１４３のアクティブ状態１を示す物理パラメータに関連付けられたノード識別子１４３を含む信号、およびノード１６４のアクティブ状態１を示す物理パラメータに関連付けられたノード識別子１６４を含む信号をそれぞれ送信する。受信機１１０４は、これらの信号を受信し、これらの信号がスライディングタイムウィンドウ内、たとえば、互いに２秒以内に受信されたと決定し、ノード識別子１４３、１６４の接続が許される接続であると（たとえば、許容可能な状態およびノード識別子／デバイスについての接続のルックアップテーブルを調べることによって）決定し、アクティブ状態１に関連付けられたノード識別子１４３、およびアクティブ状態１に関連付けられたノード識別子１６４を含むように、またノード１４３およびノード１６４が互いに接続されているというインジケーション、たとえば、一致論理１４３＋１６４を含むようにデバイスレジスタを更新する。
【０１６５】
図１１Ａにおける符号１１５４によって示されているように、医療デバイス１１２０が接続領域１１０２内の別の医療デバイス１１２０から切り離される。一例として、時間インデックス２０５１では、ＩＶセット１１２４が第１の薬物シリンジ１１２６から切り離される。たとえば、ノード識別子１４３に関連付けられたＩＶセット１１２４のコネクタが、ノード識別子１６４に関連付けられた第１の薬物シリンジ１１２６のコネクタから切り離される。ノード識別子１４３、１６４に関連付けられた追跡デバイスのセンサは、切離しに応答してアクティブ化され、たとえば、デバイスがもはや接続されていないので追跡デバイスの圧力センサに対する圧力が除去され、これにより、ノード識別子１４３、１６４に関連付けられた追跡デバイスは、ノード１４３の非アクティブ状態０を示す物理パラメータに関連付けられたノード識別子１４３を含む信号、およびノード１６４の非アクティブ状態０を示す物理パラメータに関連付けられたノード識別子１６４を含む信号をそれぞれ送信する。受信機１１０４はこれらの信号を受信し、これらの信号がスライディングタイムウィンドウ内、たとえば、互いに２秒以内に受信されたと決定し、ノード識別子１４３、１６４の切離しが許される切離しであると（たとえば、許容可能な状態およびノード識別子／デバイスについての接続のルックアップテーブルを調べることによって）決定し、非アクティブ状態０に関連付けられたノード識別子１４３、および非アクティブ状態０に関連付けられたノード識別子１６４を含むように、またノード１４３およびノード１６４が今互いに切り離されているというインジケーション、たとえば、一致論理１４３−１６４を含むようにデバイスレジスタを更新する。いくつかの非限定的な実施形態または態様では、デバイスレジスタ内に接続されているとして記憶されているノード識別子１４３、１６３のための信号が受信され、異なる状態、たとえば、ノード識別子１４３についてアクティブ化状態１、およびノード識別子１６３について非アクティブ状態０を示す場合、受信機１１０４は、エラー状態を決定し、検出もしくはシステムエラー状態が発生したこと、ならびに／または医療デバイス１１２４および／もしくは医療デバイス１１２６が誤用されていることを示す警告を出力する。
【０１６６】
図１１Ａにおける符号１１５６によって示されているように、医療デバイス１１２０が接続領域１１０２を離れる。たとえば、図１１Ｃにおける時間インデックス２０５２では、ノード識別子１６４を含む第１の薬物シリンジ１１２６は、接続領域１１０２内にあり、たとえば、ノード識別子１６４がデバイスレジスタ内にリストされている。時間インデックス２０５３では、第１の薬物シリンジ１１２６が接続領域１１０２を離れる。受信機１１０４は、接続領域１１０２のポーリングに対してノード識別子１６４に関連付けられた追跡デバイスからポーリング期間内に応答がないことに基づいて、時間インデックス２０５２においてデバイスレジスタ内にリストされているノード識別子１６４が、今、接続領域１１０２の外側にあると決定する。たとえば、受信機１１０４は、ポーリング期間内にノード識別子１６４を含む信号を受信しない。応答がないことに基づいて、ノード識別子１６４は、受信機１１０４によってデバイスレジスタから除去される。
【０１６７】
時間インデックス２０５５では、ノード識別子１９３に関連付けられた追跡デバイスを含む第２の薬物シリンジ１１２８が接続領域１１０２に進入し、ノード識別子１９３は、たとえば、符号１１５０に関して本明細書において上記のものと同様に、非アクティブ状態０に関連付けてデバイスレジスタに追加される。
【０１６８】
時間インデックス２０５８では、ノード識別子１２０に関連付けられた追跡デバイスを含むフラッシュシリンジ１１３０が接続領域１１０２に進入し、ノード識別子１２０は、たとえば、符号１１５０に関して本明細書において上記のものと同様に、非アクティブ状態０に関連付けてデバイスレジスタに追加される。
【０１６９】
時間インデックス２０６０では、ノード識別子１４３に関連付けられたＩＶセット１１２４のコネクタが、ノード識別子１２０に関連付けられたフラッシュシリンジ１１３０のコネクタに接続される。ノード識別子１４３、１２０に関連付けられた追跡デバイスのセンサは、接続に応答してアクティブ化され、これにより、ノード識別子１４３、１２０に関連付けられた追跡デバイスは、ノード１４３のアクティブ状態１を示す物理パラメータに関連付けられたノード識別子１４３を含む信号、およびノード１２０のアクティブ状態１を示す物理パラメータに関連付けられたノード識別子１２０を含む信号をそれぞれ送信する。受信機１１０４はこれらの信号を受信し、信号がスライディングタイムウィンドウ内、たとえば、互いに２秒以内に受信されたと決定し、ノード識別子１４３、１２０の接続が許される接続であると（たとえば、許容可能な状態およびノード識別子／デバイスについての接続のルックアップテーブルを調べることによって）決定し、アクティブ状態１に関連付けられたノード識別子１４３、およびアクティブ状態１に関連付けられたノード識別子１２０を含むように、またノード１４３およびノード１２０が互いに接続されているというインジケーション、たとえば、一致論理１４３＋１２０を含むようにデバイスレジスタを更新する。
【０１７０】
時間インデックス２０６２では、ＩＶセット１１２４がフラッシュシリンジ１１３０から切り離される。たとえば、ノード識別子１４３に関連付けられたＩＶセット１１２４のコネクタが、ノード識別子１２０に関連付けられたフラッシュシリンジ１１３０のコネクタから切り離される。ノード識別子１４３、１２０に関連付けられた追跡デバイスのセンサは、切離しに応答してアクティブ化され、これにより、ノード識別子１４３、１２０に関連付けられた追跡デバイスは、ノードの非アクティブ状態０を示す物理パラメータに関連付けられたノード識別子１４３を含む信号、およびノードのアクティブ状態０を示す物理パラメータに関連付けられたノード識別子１２０を含む信号をそれぞれ送信する。受信機１１０４は、これらの信号を受信し、信号がスライディングタイムウィンドウ内、たとえば、互いに２秒以内に受信されたと決定し、ノード識別子１４３、１２０の切離しが許される切離しであると（たとえば、許容可能な状態およびノード識別子／デバイスについての接続のルックアップテーブルを調べることによって）決定し、非アクティブ状態０に関連付けられたノード識別子１４３、および非アクティブ状態０に関連付けられたノード識別子１２０を含むように、またノード１４３およびノード１２０が互いに今切り離されているというインジケーション、たとえば、一致論理１４３−１２０を含むようにデバイスレジスタを更新する。いくつかの非限定的な実施形態または態様では、デバイスレジスタ１４３＋１２０内に接続されているとして記憶されているノード識別子１４３、１６３のための信号が、受信され、異なる状態、たとえば、ノード識別子１４３についてアクティブ化状態１、およびノード識別子１６３について非アクティブ状態０を示す場合、受信機１１０４は、エラー状態を決定し、検出またはシステムエラー状態が発生したこと、および／または医療デバイス１１２４および／または医療デバイス１１３０が誤用されていることを示す警告を出力する。
【０１７１】
時間インデックス２０６２では、デバイスレジスタは、所定のデバイス関連付けまたは接続（たとえば、カテーテル１１２２のノード／接続１８８、１８９間、およびＩＶセット１１２４カテーテルのノード／接続１４３、１４４間、および／または検出されたデバイス関連付けまたは接続（たとえば、カテーテル１１２２のノード／接続１８８とＩＶセット１１２４のノード／接続１４４との間）を含む論理分岐構造を示す情報を含む。論理分岐構造に基づいて、受信機１１０４は、カテーテル１１２２がＩＶセット１１２４のノード１４４、雄ルアーコネクタと流体連通する雄ルアーコネクタを有するノード１８８を有し、ＩＶセット１１２４のノード１４３に進入する流体は、ノード１４４、１８８の接続を通って流れ、カテーテル１８９のノード１８９を退出すると決定することができる。より多くの数の接続／ノードを有するより複雑なＩＶセットの場合、本明細書では、図１２を参照して下記により詳細に記載されているように、複数のノードを複数の接続点として使用して、分岐構造が構築されることに留意されたい。
【０１７２】
図１２は、たとえば、本明細書に記載のようにデバイスレジスタデータベースに基づいて決定される、コンピュータベースの論理デバイス分岐構造にマッピングされた例示的な物理デバイス分岐構造の図である。実装１２００では、簡潔にするために２桁のノード識別子が使用されているが、非限定的な実施形態または態様は、的確な製品を示すために任意の桁数を有するノード識別子を使用し、製品データベース内で的確な製品の分岐構造を示し、および／または各的確な製品のための一意のデバイス識別子を提供することができる。一例として、ノード識別子における第１の桁、たとえば、ノード識別子の１０の位は、デバイスタイプを示す。たとえば、デバイス識別子２０〜２９は、カテーテルに関連付けられ、デバイス識別子３０〜３９は、ＩＶセットに関連付けられ、デバイス識別子４０〜４９は、シリンジおよびＩＶバッグに関連付けられる。これらのデバイス上のノードは、ノード識別子における第２の桁、たとえば、１の位に示され、各デバイスについて一意である。いくつかの非限定的な実施形態または態様では、ノード識別子は、２つのノードが同じノード識別子を有していないことを確実にするために、十分な桁を有する。
【０１７３】
本開示の実施形態または態様について、例示のために、現在最も現実的で好ましい実施形態と考えられるものに基づいて詳細に記載したが、そのような詳細は、その目的のためだけのものであり、本開示は、開示されている実施形態に限定されず、それどころか、添付の特許請求の範囲の精神および範囲内の修正および均等な構成をカバーすることが意図されていることを理解されたい。たとえば、本開示は、可能な限り、任意の実施形態の１つまたは複数の特徴を、任意の他の実施形態の１つまたは複数の特徴と組み合わせることができることを企図していることを理解されたい。
【図１】
2021518948.tif 000003
【図２】
2021518948.tif 000004
【図３】
2021518948.tif 000005
【図４】
2021518948.tif 000006
【図５】
2021518948.tif 000007
【図６Ａ】
2021518948.tif 000008
【図６Ｂ】
2021518948.tif 000009
【図６Ｃ】
2021518948.tif 000010
【図６Ｄ】
2021518948.tif 000011
【図６Ｅ】
2021518948.tif 000012
【図７】
2021518948.tif 000013
【図８】
2021518948.tif 000014
【図９】
2021518948.tif 000015
【図１０】
2021518948.tif 000016
【図１１Ａ】
2021518948.tif 000017
【図１１Ｂ】
2021518948.tif 000018
【図１１Ｃ】
2021518948.tif 000019
【図１２】
2021518948.tif 000020
【図１３】
2021518948.tif 000021
【国際調査報告】
2021518948.tif 000022
2021518948.tif 000023